(57)【要約】  求愛者の近くには居るがその識別情報も接触情報（例えば、電話番号やＥメールアドレス）も分らない誰かと、遠隔通信システムを介してコンタクトを開始する仕組み。図示実施例は、ユーザーが最初のコンタクトを行うための遠隔通信アドレスを得るために、被求愛者について知っている情報−求愛相手を識別する特性−をユーザーに活用させる。【選択図】図１
2007525910.tif 000002
【特許請求の範囲】
【請求項１】
人の画像に基づいて遠隔通信ネットワークのアドレス空間内のアドレスを決定すること；および、
遠隔通信端末を、特定の前記アドレスから受信した第１のメッセージの少なくとも一部分を前記遠隔通信端末のユーザーに開示するように制御することを含み、
前記アドレスから前記ユーザーに宛てた前記メッセージの事前処置が、前記ユーザーに前記メッセージの少なくとも前記一部分を秘匿することである、方法。
【請求項２】
第２のメッセージを前記アドレスに送信することによって、特定の前記アドレスから受信したメッセージを開示するよう前記遠隔通信端末を制御する、請求項１記載の方法。
【請求項３】
前記アドレスをリストに追加することによって、特定の前記アドレスから受信したメッセージを開示するよう前記遠隔通信端末を制御する、請求項１記載の方法。
【請求項４】
前記第１のメッセージがコンタクト情報を含んでおり、該第１のメッセージを受信すること；および
前記遠隔通信端末が特定の前記アドレスから受信したメッセージを前記ユーザーに開示するよう制御されるまで、前記コンタクト情報を前記ユーザーに与えずにおくこと、
をさらに含む請求項１記載の方法。
【請求項５】
前記第１のメッセージを受信すること；および
前記遠隔通信端末が特定の前記アドレスから受信したメッセージを前記ユーザーに開示するよう制御されるまで、前記第１のメッセージの存在を前記ユーザーに与えずにおくこと、
をさらに含む請求項１記載の方法。
【請求項６】
前記遠隔通信端末内のカメラで前記画像を記録することをさらに含む、請求項１記載の方法。
【請求項７】
前記遠隔通信端末が、そのとき該遠隔通信端末の近傍に居る１人以上の人の画像を要請するのに応答して、該遠隔通信端末で該画像を受信することをさらに含む、請求項１記載の方法。
【請求項８】
人の画像に基づいて遠隔通信ネットワークのアドレス空間内のアドレスを決定すること；および、
データ処理システムを、遠隔通信端末のユーザーに特定の前記アドレスから受信した前記ユーザー宛ての第１のメッセージの一部分を開示するように制御することを含み、
前記アドレスから前記ユーザーに宛てた前記メッセージの事前処置が、前記ユーザーに前記メッセージの少なくとも前記一部分を秘匿することである、方法。
【請求項９】
第２のメッセージを前記アドレスに送信することによって、特定の前記アドレスから受信したメッセージを開示するよう前記データ処理システムを制御する、請求項８記載の方法。
【請求項１０】
前記アドレスをリストに追加することによって、特定の前記アドレスから受信したメッセージを開示するよう、前記データ処理システムを制御する、請求項８記載の方法。
【請求項１１】
前記第１のメッセージがコンタクト情報を含んでおり、該第１のメッセージを受信すること；および
前記データ処理システムが特定の前記アドレスから受信したメッセージを前記ユーザーに開示するよう制御されるまで、前記コンタクト情報を前記ユーザーに与えずにおくこと、をさらに含む請求項８記載の方法。
【請求項１２】
前記第１のメッセージを受信すること；および
前記データ処理システムが特定の前記アドレスから受信したメッセージを前記ユーザーに開示するよう制御されるまで、前記第１のメッセージの存在を前記ユーザーに与えずにおくこと、
をさらに含む請求項８記載の方法。
【請求項１３】
前記遠隔通信端末内のカメラで前記画像を記録することをさらに含む、請求項８記載の方法。
【請求項１４】
そのとき前記遠隔通信端末の近傍に居る１人以上の人の画像を要請する該遠隔通信端末からの要請を受信すること；および
前記要請に応答して前記画像を前記遠隔通信端末へ送信することをさらに含む、請求項８記載の方法。
【請求項１５】
人の画像に基づいて遠隔通信ネットワークのアドレス空間内のアドレスを決定すること；および、
遠隔通信端末を、特定の前記アドレスから受信した第１のメッセージの一部分を遠隔通信端末のユーザーに開示するように制御することを含み、
前記アドレスから前記ユーザーに宛てた前記メッセージの事前処置が、前記ユーザーに前記メッセージの少なくとも前記一部分を秘匿することである、方法。
【請求項１６】
第２のメッセージを前記アドレスに送信することによって、特定の前記アドレスから受信したメッセージを開示するよう、前記遠隔通信端末を制御する、請求項１５記載の方法。
【請求項１７】
前記アドレスをリストに追加することによって、特定の前記アドレスから受信したメッセージを開示するよう、前記遠隔通信端末を制御する、請求項１５記載の方法。
【請求項１８】
前記第１のメッセージがコンタクト情報を含んでおり、該第１のメッセージを受信すること；および
前記遠隔通信端末が特定の前記アドレスから受信したメッセージを前記ユーザーに開示するよう制御されるまで、前記コンタクト情報を前記ユーザーに与えずにおくこと、
をさらに含む請求項１５記載の方法。
【請求項１９】
前記第１のメッセージを受信すること；および
前記遠隔通信端末が特定の前記アドレスから受信したメッセージを前記ユーザーに開示するよう制御されるまで、前記第１のメッセージの存在を前記ユーザーに与えずにおくこと、
をさらに含む請求項１５記載の方法。
【請求項２０】
前記遠隔通信端末と協働して前記空間位置を決定することをさらに含む、請求項１５記載の方法。
【請求項２１】
人の空間位置に基づいて遠隔通信ネットワークのアドレス空間内のアドレスを決定すること；および、
データ処理システムを、遠隔通信端末のユーザーに特定の前記アドレスから受信した前記ユーザー宛ての第１のメッセージの一部分を開示するように制御することを含み、
前記アドレスから前記ユーザーに宛てた前記メッセージの事前処置が、前記ユーザーに前記メッセージの少なくとも前記一部分を秘匿することである、方法。
【請求項２２】
第２のメッセージを前記アドレスに送信することによって、特定の前記アドレスから受信したメッセージを開示するよう、前記データ処理システムを制御する、請求項２１記載の方法。
【請求項２３】
前記アドレスをリストに追加することによって、特定の前記アドレスから受信したメッセージを開示するよう、前記データ処理システムを制御する、請求項２１記載の方法。
【請求項２４】
前記第１のメッセージがコンタクト情報を含んでおり、該第１のメッセージを受信すること；および
前記データ処理システムが特定の前記アドレスから受信したメッセージを前記ユーザーに開示するよう制御されるまで、前記コンタクト情報を前記ユーザーに与えずにおくこと、をさらに含む請求項２１記載の方法。
【請求項２５】
前記第１のメッセージを受信すること；および
前記データ処理システムが特定の前記アドレスから受信したメッセージを前記ユーザーに開示するよう制御されるまで、前記第１のメッセージの存在を前記ユーザーに与えずにおくこと、
をさらに含む請求項２１記載の方法。
【請求項２６】
前記遠隔通信端末と協働して前記空間位置を決定することをさらに含む、請求項２１記載の方法。
【請求項２７】
人の身元の表示に基づいて遠隔通信ネットワークのアドレス空間内のアドレスを決定すること；および、
遠隔通信端末を、特定の前記アドレスから受信した第１のメッセージの一部分を前記遠隔通信端末のユーザーに開示するように制御することを含み、
前記アドレスから前記ユーザーに宛てた前記メッセージの事前処置が、前記ユーザーに前記メッセージの少なくとも前記一部分を秘匿することである、方法。
【請求項２８】
第２のメッセージを前記アドレスに送信することによって、特定の前記アドレスから受信したメッセージを開示するよう前記遠隔通信端末を制御する、請求項２７記載の方法。
【請求項２９】
前記アドレスをリストに追加することによって、特定の前記アドレスから受信したメッセージを開示するよう前記遠隔通信端末を制御する、請求項２７記載の方法。
【請求項３０】
前記第１のメッセージがコンタクト情報を含んでおり、該第１のメッセージを受信すること；および
前記遠隔通信端末が特定の前記アドレスから受信したメッセージを前記ユーザーに開示するよう制御されるまで、前記コンタクト情報を前記ユーザーに与えずにおくこと、
をさらに含む請求項２７記載の方法。
【請求項３１】
前記第１のメッセージを受信すること；および
前記遠隔通信端末が特定の前記アドレスから受信したメッセージを前記ユーザーに開示するよう制御されるまで、前記第１のメッセージの存在を前記ユーザーに与えずにおくこと、
をさらに含む請求項２７記載の方法。
【請求項３２】
前記人の前記身元の表示を、前記遠隔通信端末を通じて受信する、請求項２７記載の方法。
【請求項３３】
人の身元の表示に基づいて遠隔通信ネットワークのアドレス空間内のアドレスを決定すること；および、
データ処理システムを、前記遠隔通信端末のユーザーに特定の前記アドレスから受信した前記ユーザー宛ての第１のメッセージの一部分を開示するように制御することを含み、
前記アドレスから前記ユーザーに宛てた前記メッセージの事前処置が、前記ユーザーに前記メッセージの少なくとも前記一部分を秘匿することである、方法。
【請求項３４】
第２のメッセージを前記アドレスに送信することによって、特定の前記アドレスから受信したメッセージを開示するよう前記データ処理システムを制御する、請求項３３記載の方法。
【請求項３５】
前記アドレスをリストに追加することによって、特定の前記アドレスから受信したメッセージを開示するよう前記データ処理システムを制御する、請求項３３記載の方法。
【請求項３６】
前記第１のメッセージがコンタクト情報を含んでおり、該第１のメッセージを受信すること；および
前記データ処理システムが、特定の前記アドレスから受信したメッセージを前記ユーザーに開示するよう制御されるまで、前記コンタクト情報を前記ユーザーに与えずにおくこと、をさらに含む請求項３３記載の方法。
【請求項３７】
前記第１のメッセージを受信すること；および
前記データ処理システムが、特定の前記アドレスから受信したメッセージを前記ユーザーに開示するよう制御されるまで、前記第１のメッセージの存在を前記ユーザーに与えずにおくこと、
をさらに含む請求項３３記載の方法。
【請求項３８】
前記人の前記身元の表示を、前記遠隔通信端末を通じて受信する、請求項３３記載の方法。
【請求項３９】
人の画像に基づいて人の身元の表示を決定すること；および、
遠隔通信端末を、特定の前記人から受信した第１のメッセージの一部分を前記遠隔通信端末のユーザーに開示するように制御することを含み、
前記人からのメッセージの事前処置が、前記ユーザーに前記人からの前記メッセージの少なくとも前記一部分を秘匿することである、方法。
【請求項４０】
第２のメッセージを前記人に送信することによって、特定の前記人から受信したメッセージを開示するよう前記遠隔通信端末を制御する、請求項３９記載の方法。
【請求項４１】
前記人をリストに追加することによって、特定の前記人から受信したメッセージを開示するよう前記遠隔通信端末を制御する、請求項３９記載の方法。
【請求項４２】
前記第１のメッセージがコンタクト情報を含んでおり、該第１のメッセージを受信すること；および
前記遠隔通信端末が特定の前記人から受信したメッセージを前記ユーザーに開示するよう制御されるまで、前記コンタクト情報を前記ユーザーに与えずにおくこと、
をさらに含む請求項３９記載の方法。
【請求項４３】
前記第１のメッセージを受信すること；および
前記遠隔通信端末が特定の前記人から受信したメッセージを前記ユーザーに開示するよう制御されるまで、前記第１のメッセージの存在を前記ユーザーに与えずにおくこと、
をさらに含む請求項３９記載の方法。
【請求項４４】
前記遠隔通信端末内のカメラで前記画像を記録することをさらに含む、請求項３９記載の方法。
【請求項４５】
前記遠隔通信端末が、そのとき該遠隔通信端末の近傍に居る１人以上の人の画像を要請するのに応答して、該遠隔通信端末で該画像を受信することをさらに含む、請求項３９記載の方法。
【請求項４６】
人の画像に基づいて人の身元の表示を決定すること；および、
データ処理システムを、特定の前記人から受信した第１のメッセージの一部分を遠隔通信端末のユーザーに開示するように制御することを含み、
前記人からのメッセージの事前処置が、前記ユーザーに前記メッセージの少なくとも前記一部分を秘匿することである、方法。
【請求項４７】
第２のメッセージを前記人に送信することによって、特定の前記人から受信したメッセージを開示するよう前記データ処理システムを制御する、請求項４６記載の方法。
【請求項４８】
前記人をリストに追加することによって、特定の前記人から受信したメッセージを開示するよう前記データ処理システムを制御する、請求項４６記載の方法。
【請求項４９】
前記第１のメッセージがコンタクト情報を含んでおり、該第１のメッセージを受信すること；および
前記データ処理システムが特定の前記人から受信したメッセージを前記ユーザーに開示するよう制御されるまで、前記コンタクト情報を前記ユーザーに与えずにおくこと、をさらに含む請求項４６記載の方法。
【請求項５０】
前記第１のメッセージを受信すること；および
前記データ処理システムが特定の前記人から受信したメッセージを前記ユーザーに開示するよう制御されるまで、前記第１のメッセージの存在を前記ユーザーに与えずにおくこと、
をさらに含む請求項４６記載の方法。
【請求項５１】
前記遠隔通信端末内のカメラで前記画像を記録することをさらに含む、請求項４６記載の方法。
【請求項５２】
そのとき前記遠隔通信端末の近傍に居る１人以上の人の画像を要請する該遠隔通信端末の要請を受信すること；および
前記要請に応答して前記遠隔通信端末に前記画像を送信することをさらに含む、請求項４６記載の方法。
【請求項５３】
人の空間的位置に基づいて人の身元の表示を決定すること；および、
遠隔通信端末を、特定の前記人から受信した第１のメッセージの一部分を前記遠隔通信端末のユーザーに開示するように制御することを含み、
前記人からのメッセージの事前処置が、前記ユーザーに前記メッセージの少なくとも前記一部分を秘匿することである、方法。
【請求項５４】
第２のメッセージを前記人に送信することによって、特定の前記人から受信したメッセージを開示するよう前記遠隔通信端末を制御する、請求項５３記載の方法。
【請求項５５】
前記人をリストに追加することによって、特定の前記人から受信したメッセージを開示するよう前記遠隔通信端末を制御する、請求項５３記載の方法。
【請求項５６】
前記第１のメッセージがコンタクト情報を含んでおり、該第１のメッセージを受信すること；および
前記遠隔通信端末が特定の前記人から受信したメッセージを前記ユーザーに開示するよう制御されるまで、前記コンタクト情報を前記ユーザーに与えずにおくこと、
をさらに含む請求項５３記載の方法。
【請求項５７】
前記第１のメッセージを受信すること；および
前記遠隔通信端末が特定の前記人から受信したメッセージを前記ユーザーに開示するよう制御されるまで、前記第１のメッセージの存在を前記ユーザーに与えずにおくこと、
をさらに含む請求項５３記載の方法。
【請求項５８】
前記遠隔通信端末と協働して前記空間位置を決定することをさらに含む、請求項５３記載の方法。
【請求項５９】
人の空間的位置に基づいて人の身元の表示を決定すること；および、
データ処理システムを、特定の前記人から受信した第１のメッセージの一部分を遠隔通信端末のユーザーに開示するように制御することを含み、
前記人からのメッセージの事前処置が、前記ユーザーに前記メッセージの少なくとも前記一部分を秘匿することである、方法。
【請求項６０】
第２のメッセージを前記人に送信することによって、特定の前記人から受信したメッセージを開示するよう前記データ処理システムを制御する、請求項５９記載の方法。
【請求項６１】
前記人をリストに追加することによって、特定の前記人から受信したメッセージを開示するよう前記データ処理システムを制御する、請求項５９記載の方法。
【請求項６２】
前記第１のメッセージがコンタクト情報を含んでおり、該第１のメッセージを受信すること；および
前記データ処理システムが特定の前記人から受信したメッセージを前記ユーザーに開示するよう制御されるまで、前記コンタクト情報を前記ユーザーに与えずにおくこと、
をさらに含む請求項５９記載の方法。
【請求項６３】
前記第１のメッセージを受信すること；および
前記データ処理システムが特定の前記人から受信したメッセージを前記ユーザーに開示するよう制御されるまで、前記第１のメッセージの存在を前記ユーザーに与えずにおくこと、
をさらに含む請求項５９記載の方法。
【請求項６４】
前記遠隔通信端末と協働して前記空間位置を決定することをさらに含む、請求項５９記載の方法。
【請求項６５】
人の身元の第２の表示に基づいて、前記人の身元の第１の表示を決定すること；および、
遠隔通信端末を、特定の前記人から受信した第１のメッセージの一部分を前記遠隔通信端末のユーザーに開示するように制御することを含み、
前記人からのメッセージの事前処置が、前記ユーザーに前記メッセージの少なくとも前記一部分を秘匿することである、方法。
【請求項６６】
第２のメッセージを前記人に送信することによって、特定の前記人から受信したメッセージを開示するよう前記遠隔通信端末を制御する、請求項６５記載の方法。
【請求項６７】
前記人をリストに追加することによって、特定の前記人から受信したメッセージを開示するよう前記遠隔通信端末を制御する、請求項６５記載の方法。
【請求項６８】
前記第１のメッセージがコンタクト情報を含んでおり、該第１のメッセージを受信すること；および
前記遠隔通信端末が特定の前記人から受信したメッセージを前記ユーザーに開示するよう制御されるまで、前記コンタクト情報を前記ユーザーに与えずにおくこと、
をさらに含む請求項６５記載の方法。
【請求項６９】
前記第１のメッセージを受信すること；および
前記遠隔通信端末が特定の前記人から受信したメッセージを前記ユーザーに開示するよう制御されるまで、前記第１のメッセージの存在を前記ユーザーに与えずにおくこと、
をさらに含む請求項６５記載の方法。
【請求項７０】
前記遠隔通信端末を介して、前記人の身元の表示を受信することをさらに含む、請求項６５記載の方法。
【請求項７１】
人の身元の第２の表示に基づいて、前記人の身元の第１の表示を決定すること；および、
データ処理システムを、特定の前記人から受信した第１のメッセージの一部分を遠隔通信端末のユーザーに開示するように制御することを含み、
前記人からのメッセージの事前処置が、前記ユーザーに前記メッセージの少なくとも前記一部分を秘匿することである、方法。
【請求項７２】
第２のメッセージを前記人に送信することによって、特定の前記人から受信したメッセージを開示するよう前記データ処理システムを制御する、請求項７１記載の方法。
【請求項７３】
前記人をリストに追加することによって、特定の前記人から受信したメッセージを開示するよう前記データ処理システムを制御する、請求項７１記載の方法。
【請求項７４】
前記第１のメッセージがコンタクト情報を含んでおり、該第１のメッセージを受信すること；および
前記データ処理システムが特定の前記人から受信したメッセージを前記ユーザーに開示するよう制御されるまで、前記コンタクト情報を前記ユーザーに与えずにおくこと、
をさらに含む請求項７１記載の方法。
【請求項７５】
前記第１のメッセージを受信すること；および
前記データ処理システムが、特定の前記人から受信したメッセージを前記ユーザーに開示するよう制御されるまで、前記第１のメッセージの存在を前記ユーザーに与えずにおくこと、
をさらに含む請求項７１記載の方法。
【請求項７６】
前記遠隔通信端末を介して、前記人の身元の表示を受信することをさらに含む、請求項７１記載の方法。
【発明の詳細な説明】
【技術分野】
【０００１】
本発明は、一般的には遠隔通信に関し、特には、携帯電話による社交的な遠隔通信に関する。
【背景技術】
【０００２】
潜在的な相性の良い人々というのは２つのカテゴリーに分けられる。第１のカテゴリーは、彼らに会ったこともなく、見たこともなく、聞いたことすらないために、知らない相手である。このグループは、相性の良いかもしれない特定の個人の存在を警告してくれるオンラインデートサービスや新聞の個人広告、および結婚相談所によって導かれるグループである。
【０００３】
この同じ人々を助けるより新たな技術的な進展は、例えば、Ｊａｐａｎｅｓｅ  ＬｏｖｅｇｏｔｙやＳｐｏｔｍｅ装置のような携帯装置で、ユーザーの近傍環境内でさもなければ知らないままになっていたかもしれない、潜在的な相性の良い人々をユーザーに警告してくれる。さらに最近では、携帯電話会社ＡＴ＆Ｔワイヤレス社がオンラインデートサービスＭａｔｃｈ．ｃｏｍに連結して携帯電話ユーザーにプロフィール合わせサービスを提供しており、それはユーザー同士が同じような物理的近さに居る時に有効になる。これらすべてのサービスは、ユーザーがもしかしたら知ることがなかった潜在的な相性の良いパートナーをユーザーに警告してくれる。
【０００４】
人々の第２のカテゴリーは、すでに彼らに会っており、聞いたことがあり、また少なくとも見たことがあるので、知っている人々である。このグループには、友人、クラスメート、同僚、知人、そして最も大きなグループ、すなわち、八百屋、エレベーター、地下鉄、レストランなど日常活動の通常の道のりで知り合った他人を含む。
【０００５】
この第２のカテゴリーの誰かと関わりを持つようになると、人は通常どの個人が興味を持てる人で、どの個人が興味を持てない人かが判る。このケースでは、問題は誰とデートするかではなく、いかにそれが起こるようにするかである。したがって、人がすでに興味を持った相手との関係を発展させることを促進するというニーズがある。
【発明の開示】
【０００６】
本発明は、既存の技術のように多くの費用をかけずに、また技術上の不都合もなく、知り合った同士の紹介を容易にする。このために、本発明の図示された具体例では、人々（求愛者）が魅力を感じている相手（被求愛者）にアプローチするのに妨げになる４つの主な障害に対処する。３つの障害は：
侵襲性―もし被求愛者が知らない人であった場合、その人に物理的にアプローチするためには社会的な環境は適切、助成的、あるいは好都合でないかもしれない。例えば、被求愛者は、その友人のグループには電話でか、あるいは、直接話をするかもしれない。本発明のいくつかの実施例では、求愛者と被求愛者間のコミュニケーションにおける非侵襲的なメカニズムを提供し、侵襲性という障害に対処する。
【０００７】
拒絶の恐れ―拒絶の恐れは多くの求愛者が被求愛者にアプローチすることを妨げる。もし被求愛者と求愛者がすでにロマンチックでない関係を持っている場合、例えば、職場の同僚などの場合、拒絶の結果は深刻である。本発明のいくつかの実施例では、追補的な仕組み（例えば、データ処理システム、求愛者側と被求愛者側の遠隔通信端末等）を使って彼らの興味を秘匿し、両者が互いへの興味を表明した時にのみ、両者に互いが惹かれていることを明らかにするようにする。
【０００８】
拒絶時のきまり悪さの恐れ―友人の前での決まり悪さの恐れは、多くの求愛者が被求愛者にアプローチすることを妨げる。本発明のいくつかの実施例では、友人の前で被求愛者にアプローチするよりは被求愛者の目につきにくいように、求愛者である彼または彼女の遠隔通信端末を介して被求愛者とのコンタクトを開始することを容易にして、拒絶時のきまり悪さの恐れに対処する。
【０００９】
この目的を達成するために、図示した実施例では求愛者の近傍に居る誰かと遠隔通信システムを介してコンタクトを開始する仕組みを提供する。しかし、その誰かの通信アドレス（例えば、電話番号、Eメールアドレス等）は判っていない。図示した具体例は、ユーザーが最初のコンタクトをするための通信アドレスを決めるために、ユーザーが知っている被求愛者の情報を利用することが出来る。
【００１０】
第１の図示した実施例は、ある人の画像に基づいて遠隔通信ネットワークのアドレス空間内のアドレスを決定し、遠隔通信端末のユーザーに対して、通信端末を制御して特定のアドレスから受信した最初のメッセージの少なくともその一部を知らせることを含み、そのアドレスからのメッセージおよびユーザーに宛てたメッセージの事前の処置で、ユーザーからのメッセージの少なくともその一部を秘匿する。
【発明を実施するための最良の形態】
【００１１】
図１は、本発明の第１の図示実施例が機能する環境の図を示す。環境１００は、互いが認識することが出来る近さに居る８人の集まりである。第１の図示実施例では、互いが認識できる近さに居るという事実が主要な特性で、本実施例は実際に互いに物理的に近くに居て互いを見ることが出来る人々を紹介することを可能にする。
【００１２】
集まりの中の一人“最初の人”が、他の人“第２の人”を見て、彼または彼女と通信を始めようと望む。現在集まりに居る他の人たちは、単に傍観者である。
【００１３】
第１の図示実施例では、各人が彼または彼女を他の人に紹介することを容易にする遠隔通信端末を携帯する。
【００１４】
図２は、無線端末１０１−ｉの主な構成要素のブロック図を示す。ここで、ｉ＝１〜８である。第１の図示実施例では、無線端末１０１−ｉは、識別可能であり、その中で端末が機能する遠隔通信システムのアドレス空間内のアドレスによって連絡可能である。このことは、各ユーザーの端末アドレスが以下のようにユーザーの識別符号として働くので重要である。すなわち；
i．ユーザーの無線端末に宛てられたメッセージは、そのユーザーへのメッセージと考えることができる。
ii．そのアドレスからのメッセージはそのユーザーからのメッセージと考えることができる。
【００１５】
無線端末１０１−ｉは、プロセッサー２０１、メモリー２０２、送受信器２０３、空間位置センサー２０４、および入出力器２０５を備えている。
【００１６】
プロセッサー２０１は、良く知られているような汎用のプロセッサーであり、良く知られた方法でメモリー２０２、送受信器２０３および空間位置センサー２０４と相互に作用することが出来、さらに下記および図３〜５で述べるような機能を実施することが出来る。
【００１７】
メモリー２０２は、良く知られた不揮発性のランダムアクセスメモリーで、プロセッサー２０１のためのオペレーティングシステムやアプリケーションソフトを格納する。第１の図示実施例では、メモリー２０２は、その端末に関するユーザーの画像（例えば、写真等）も格納する。
【００１８】
送受信器２０３は、良く知られた双方向の無線送受信機であって、無線端末１０１−ｉが他の無線端末と直接、声、文字および動画を、基地ステーション（例えば、ＷｉＦｉアクセスポイントなど）（図１には図示しない）を通じて直接に（例えば、ブルートゥースネットワーク等を通じて）、また、基地ステーション経由でアクセス可能な遠隔データ処理システムを用いて通信可能にする。
【００１９】
空間位置センサー２０４は、良く知られたセンサー（例えば、ＧＰＳ受信機等）であって、無線端末１０１−ｉの空間位置（例えば、緯度および経度等）を確かめることが出来る。
【００２０】
入出力器２０５は、良く知られたキーパッド、ディスプレー、カメラ、音響変換器を含み、ユーザーは声、文字および動画を通じて通信可能になる。
【００２１】
技術を良く知った人にとっては、この開示を読んだ後に、第１の人の端末および第2の人の端末の一方または両方が有線端末であった場合の本発明の代替の実施例を作り上げ、使用する方法は明らかであろう。さらに、技術を良く知った人にとっては、この開示を読んだ後に、異なったシステム（例えば、無線ＬＡＮ、インターネット、ブルートゥースネットワーク等）の一部である本発明の代替の実施例を作り上げ、使用する方法は明らかであろう。したがって、そこでは、異なったアドレス空間内のアドレス（例えば、ＩＰＶ６アドレス、ＭＡＣアドレス等）によって識別および連絡が可能である。さらにまた、技術を良く知った人にとっては、デート約束や恋愛以外の目的（例えば、商談を可能にする等）に本発明の代替実施例を作り上げ、使用する方法は明らかであろう。
【００２２】
第１の図示実施例では、第１の人の端末は第２の人の端末と基地局又は仲介局の助け無しに直接物理レイヤーで通信可能である。第１の人の端末は第２の人の端末と第３者のデータ処理システムの助け無しに直接アプリケーションレイヤーで通信可能である。逆に、以下に述べる第２の図示実施例では、データ処理システムと連携して作用する。
【００２３】
第１の図示実施例では、各人の端末は人が：
i．求愛者（すなわち、被求愛者との接触を開始する）
ii．被求愛者（すなわち、求愛者から匿名のメッセージを受ける）
の両方になれるようなソフトウェアを常に動作させている。図３に述べる機能は人を、彼または彼女の端末を通じて求愛者となることを可能にし、図５に述べる機能は人を、彼または彼女の端末を通じて被求愛者となることを可能にする。
【００２４】
図３のタスク３０１において、第１の人は第２の人を見る。
タスク３０２において、第１の人の端末は（i）第２の人を区分けする１つ以上の要素を決め、そして（ii）その区分け要素に基づいてフィルタリングする基準を得る。
【００２５】
本開示の目的のために、“区分け要素”は第２の人を少なくとも他の一人から区別するための情報として定義される。例えば、区分け要素は次のものを含むが、それらに限定されない。
【００２６】
i．第２の人の肉体的な特徴の表示（例えば、画像、声門、瞳走査像、その人のゲノム、指紋、身体上の記述等）、または
ii．第２の人の空間位置の表示（例えば、、第２の人の緯度、経度等）、または
iii．第２の人の身元の表示（例えば、名前、社会保障番号、住所等）、または
iv．第２の人の通信ネットワークのアドレス空間内のアドレス（例えば、電話番号、コンピュータスクリーンネーム、Ｅメールアドレス等）、または
v．i．ii．iii．iv．の任意の組み合わせ。
【００２７】
本開示の目的のために“フィルタリング基準”は第２の人からの通信メッセージを少なくとも一人の他の人からの通信メッセージと区別するための情報として定義される。例えば、フィルタリング基準は次のものを含むが、それらに限定されない。
【００２８】
i．通信ネットワークのアドレス空間内のアドレス、または
ii．その人の身元の表示、または
iii．i．ii．の組み合わせ。
【００２９】
第１の図示具体例において、区分け基準はユーザーの顔画像（すなわち、ユーザーのポートレート）であって、フィルタリング基準は端末の電話番号である。
【００３０】
図４は、第１の図示実施例におけるタスク３０２の動作に関する主要なサブタスクのフローチャートを表す。
【００３１】
タスク４０１に於いて、第１の人の端末が、そのユーザーの（i）一つ以上の区分け要素、および（ii）一つ以上のフィルタリング基準を全ての他の端末に要求する。第１の図示実施例では、第１の人の端末は端末ユーザーの画像を区分け要素として、また、電話番号をフィルタリング基準として要求する。
【００３２】
タスク４０２において、第１の人の端末の領域内の、第２の人の端末を含む全ての他の端末が、タスク４０１で送信された要求を受信する。
【００３３】
タスク４０３で、要求に応答するようにプログラムされた、第２の人の端末を含む全ての端末が応答する。
【００３４】
タスク４０４で、第１の人の端末は各応答端末からの区分け要素とフィルタリング基準の組み合わせを受信する。
【００３５】
タスク４０５で、第１の人は、彼または彼女が受信した画像と、第２の人の彼または彼女の実際の外観を比較し、どの画像が第２の人に相当するのかを彼または彼女の端末に指示する。次に端末は電話番号（画像と共に受信したもの）を、タスク３０３から３０６に使用するフィルタリング基準として選択する。
【００３６】
第１の人の端末は、画像とアドレスの組み合わせが与えられるので、識別特性に基づいたフィルタリング基準を得るタスクは単純である。しかし、ここでほのめかしたように、また、以下に述べるように、また、第２の図示実施例に関しては、識別特性に基づいたフィルタリング基準を得るタスクはより複雑になり得る。例えば、この開示を読んだ後では技術を理解する人々にとって、第１の人の端末が区分け要素そのもの（例えば、第２の人の写真を取るカメラ等で）を生成したり、他所（例えば、遠隔データ処理システム等）からそれを受け取るような、本発明の代替実施例を作り使用する方法は明らかであろう。そのような１例を以下に第２の図示実施例に関して述べる。
【００３７】
タスク３０２の１部として、第１の人は彼または彼女の端末を使って第２の人の身体的特徴に対応する画像を比較検討する。第１の人が、どの画像が第２の人に対応するのかを決めたとき、第１の人はその決定を端末に表示する。第１の図示実施例では、第１の人の端末はフィルタリング基準が単純に第２の人の端末から与えられ、また、フィルタリング基準と区分け要素との組み合わせも与えられる。しかしながら、この開示を読んだ後では、技術を理解する人々にとって、第１の人の端末が区分け要素を使ってフィルタリング基準を決定する（例えば、パターンマッチング処理やルックアップ処理等を通じて）ような、本発明の代替実施例を作り使用するやりかたは明らかであろう。これは、例えば、ローカルまたは遠隔のデータベースを含んでいても良いし、遠隔のデータ処理システムとの協働を含んでも良い。そのような１例を以下に第２の図示実施例に関して述べる。
【００３８】
タスク３０３で、第１の人は、その彼または彼女の端末に、第２の人と通信をする気があることを表示する。これは、端末に、彼または彼女に対して第２の人（彼または彼女のフィルタリング基準で同定された）から送られた、あるいは送られるかもしれないすべてのメッセージの存在とその完全な内容を顕わすよう指示することで行われる。第１の図示実施例では、第１の人は；
（１）第２の人と通信することに対する能動的な興味、または
（２）第２の人と通信することに対する受動的な興味
のどちらかを表明する。
【００３９】
第１の人が第２の人と通信することに対する能動的な興味を表明したときは、第１の人の端末はタスク３０２で決定されたフィルタリング基準を用いて第２の人にメッセージを送る。そのメッセージは次のものを含む。
【００４０】
i．第１の人の識別情報（例えば、第１の人の識別情報、第１の人の画像等）の表示、および
ii．第１の人のフィルタリング基準（例えば、ブルートゥースネットワークアドレス等）
iii．表題（例えば、“求愛者からのメッセージ”等）
iv．内容（例えば、“貴方にドリンクを買って上げて良いですか？”等）
逆に、第１の人が、第２の人と交信するのに受動的な興味を示したときは、第１の人は第２の人にメッセージを送らずに彼または彼女の端末に、彼または彼女がもし第２の人からメッセージを受け取ったら第２の人と交信したいということを知らせておく。
【００４１】
以下に、また、図５に関して述べるように、受動的興味の良いところは、第２の人が表明して第１の人に興味を持たない場合は、第２の人は第１の人が表明して彼または彼女に興味を持っていることを見つけにくいということである。受動的興味の不都合な点は、第１の人と第２の人が双方とも互いに受動的興味を示したときはデッドロックになってしまい、両者が互いに興味を持っていても何も起こらないということである。
【００４２】
逆に、能動的興味の有利な点は、第２の人に彼または彼女には求愛者がいることを知らせ、そして、したがって、もし彼または彼女がそうでない限りは第２の人に第１の人と交信することの興味（能動的もしくは受動的な）を表明するように促す。能動的興味の不都合な点は、第２の人がこのプロセスを覆すことができることのリスクや、第１の人への興味を表明することなく第１の人からのメッセージの秘密の部分にアクセスすることが出来るというリスクが高まることである。この増大するリスクは、第２の人へ送られるメッセージ全部が第２の人の装置に帰属してしまうために起こる。
【００４３】
どちらのケースでも、タスク３０３の一部として、第２の人の電話番号は、第１の人の端末に恒久的に記憶される被求愛者リストに記憶される。そのようなリストの例を表１に示す。下記に、また、図５に関して述べるように、このリストは、第１の人にメッセージが届いたときに、端末がどのメッセージが受け入れてよい第２の人からのもので、どれがそうでないかを見分けることを可能にするために使用される。
【００４４】
【表１】
2007525910.tif 000003
【００４５】
タスク３０４で、第１の人の端末は、第２の人が第１の人との交信に以前興味を示したことがあるかを判定する。このことは、第１の人の端末が以前第２の人からのメッセージを受信しており、そのメッセージの部分または全体が第１の人に対して秘匿されたかもしれないので必要なことである。この状況は、第１の人が第２の人のメッセージの受信に応えて一連のタスクを実行したかもしれないので、起こり得る。どちらにしても、第１の人の端末に恒久的に記憶されている第２の人の電話番号が求愛者（すなわち、第１の人に部分的にまたは全体を秘匿したメッセージを第１の人に送った人達）リスト内で検索される。そのようなリストの例を表２に示す。
【００４６】
【表２】
2007525910.tif 000004
【００４７】
どのようにして、いつ表２が存在するようになるのかは、以下に、図５に関して述べる。第２の人の電話番号が求愛者リストの中にある場合は、制御はタスク３０６に移り、そうでなければ制御は停止する。
【００４８】
タスク３０５において、第１の人の端末は第１の人に第２の人は以前第１の人にメッセージを送ったことがあり、そして、したがって、交信することに興味があることを表明したことがあるという事実を警告する。タスク３０５の一部として、第１の人の端末は、第１の人に第２の人から受信したメッセージの全てを示す。
【００４９】
タスク３０６で、第１の人の端末は第２の人の端末との音声コールを開始させ、第１の人と第２の人は自由に交信できる。この開示を読んだ後では、技術を理解する人々にとって、タスク３０６の交信が文字、声、または動画によって行われるように本発明の代替実施例を作り使用する方法は明らかであろう。
【００５０】
図５は、第１の人が第３者、それは第２の人かもしれないしそうでないかもしれないが、から送られた求愛のメッセージを受け取った時の、第１の人および彼または彼女の端末に関する主要なタスクのフローチャートを示す。
【００５１】
タスク５０１で、第１の人の端末は第３の人から送られたメッセージを受け取る。メッセージには；
i．第３の人の身元の識別符号
ii．第３の人の端末の電話番号
iii．表題、そして
iv．内容    を含む。
【００５２】
タスク５０２で、第１の人の端末は、第１の人が第３の人との交信に対する興味（能動的であれ受動的であれ）をかつて表明したかどうかを判定する。タスク５０２は、第３の人の電話番号を第１の人の被求愛者リスト内で検索することで完了する。もし、第３の人の電話番号が被求愛者リスト内にあったときは、制御はタスク５０３に移り、さもなければタスク５０５に移る。
【００５３】
タスク５０３で、第１の人の端末は第１の人にメッセージの到着を知らせ、メッセージを供給する。
【００５４】
タスク５０４で、第１の人の端末は第３の人の端末との音声コールを開始させ、第１の人と第３の人は自由に交信できる。この開示を読んだ後では、技術を理解する人々にとって、タスク５０４の交信が文字、声、または動画によって行われるように本発明の代替実施例を作り使用する方法は明らかであろう。
【００５５】
タスク５０５で、第１の人の端末は第１の人にメッセージの到着を知らせ、第１の人に；
i．メッセージの表題
を示すが、
i．第３の人を同定する情報
ii．第３の人の端末の電話番号
iii．メッセージの内容
は、保留される。
【００５６】
第３の人からのメッセージを受信すると、第１の人はそれを見て彼または彼女が求愛する人にメッセージを送ることを考慮するようプロンプトされる。もしそのことが起こって第３の人となった場合は、接続される。そうでなければ、第４の人が、それを見て彼または彼女が求愛する人にメッセージを送ることを考慮するようプロンプトされる。本発明のいくつかの代替実施例において、全てのメッセージおよびその存在が、被求愛者が求愛者との交信に興味を表わさない限りは被求愛者には留保される。
【００５７】
タスク５０５の一部として、表２に示すように、第１の人の端末は第３の人の電話番号をその求愛者リストに加える。タスク５０５の後、制御は停止する。
【００５８】
第１の図示実施例は、種々の通信端末が独立に、遠隔データ処理システムの助け無しで動作出来るシステムで、一方向のみを図示する。これには利点もあるが、不具合もあり、したがって、第２の人の図示実施例は、種々の通信端末がデータ処理システムと結びついて動作するシステムでの一方向を図示する。
【００５９】
図６は、本発明の第２の人の図示実施例が動作する環境の図を示す。図１の環境１００のように、環境６００は、互いに認識近距離内の８人の人達の集まりである。人々が互いに認識近距離内であるという事実は第２の図示実施例の主要な特性である。なぜならば、第１の人の図示実施例と同様、互いに実際に物理的に近くに居て互いを見ることが出来る人達を紹介することが可能であるからである。
【００６０】
集まりの中の人達の一人、“第１の人”、が他の人、すなわち“第２の人”、を見て、その彼または彼女と交信を始めたいと願う。その集まりにいる他の人たちは単に傍観者となる。
【００６１】
第２の図示実施例では、各人が通信端末を持っており、彼または彼女を他の人に紹介することを容易にする。
【００６２】
図７は、ｉ＝１〜８として、無線端末６０１−ｉの主要要素のブロック図を示す。第２の図示実施例では、無線端末６０１−ｉは、その中で端末が機能する通信システムのアドレス空間内のアドレスで識別可能であり、またアクセス可能である。このことは、各ユーザーの端末のアドレスが、以下のようにそのユーザーの識別符号になっているため重要である。
【００６３】
i．あるユーザーの無線端末アドレスに宛てたメッセージは、そのユーザーに宛てたメッセージと考えられ、かつ、
ii．そのアドレスからのメッセージはそのユーザーからのメッセージと考えられる。
【００６４】
無線端末６０１−ｉは、プロセッサ７０１、メモリー７０２、送受信機７０３、および入出力器７０５を有する。
【００６５】
プロセッサ７０１は、よく知られた形式の汎用目的のプロセッサで、メモリー７０２と相互動作出来、図８および９に関して下記に述べる機能を動作することが出来る。
【００６６】
メモリー７０２は、良く知られた形式の不揮発性のランダムアクセスメモリーで、プロセッサ７０１のオペレーティングシステムやアプリケーションソフトウェアを記憶する。
【００６７】
送受信機７０３は、良く知られた形式の双方向の無線送受信機で、無線端末１０１−ｉを、基地局６０２（例えば、ＷｉＦｉアクセスポイント等）を通じて直接か、基地局６０２を介して遠隔データ処理システム６０３を使って、音声、文字、動画を通信可能にする。
【００６８】
入出力器７０４は、良く知られた形態のキーパッド、ディスプレー、カメラ、音響変換器を含み、ユーザーが音声、文字、動画で通信することを可能にする。
【００６９】
技術をよく知った人にとっては、この開示を読んだ後に、第１の人の端末および第２の人の端末の一つまたは両方が有線の端末であるという、本発明の代替の実施例を作り上げ利用する方法は明らかであろう。さらに、技術をよく知った人にとっては、この開示を読んだ後に、異なったシステム（例えば、無線ローカルエリアネットワーク、インターネット、ブルートゥースネットワーク等）の一部として本発明の代替実施例を作り上げ利用する方法は明らかであろう。したがって、異なったアドレス空間内のアドレス（例えば、ＩＰＶ６アドレス、ＭＡＣアドレス等）で識別しアクセスすることが可能である。さらに、技術をよく知った人にとっては、デート約束やロマンス以外の目的（例えば、ビジネスの取引を可能にする等）に本発明の代替実施例を作り上げ、利用する方法は明らかであろう。
【００７０】
第２の図示実施例では、第１の人の端末は基地局と物理層で交信する。さらに、第２の図示実施例では、第１の人の端末はデータ処理システム６０３とアプリケーション層で交信する。
【００７１】
第２の図示実施例では、データ処理システム６０３はソフトウェアを継続的に走らせ、各人が、
i．求愛者、および
ii．被求愛者
の双方になれるようにしている。
【００７２】
図８で述べる機能は、彼または彼女の端末を介して人を求愛者になることを可能にし、図９で述べる機能は、彼または彼女の端末を介して人を被求愛者になることを可能にする。
【００７３】
図８のタスク８０１で、第１の人は第２の人を見る。
【００７４】
タスク８０２で、第１の人は、彼または彼女の端末で第２の人の画像を捕らえて（例えば、写真を撮って）第２の人に対する１つ以上の識別要素を決定する。もし捕らえた画像に２人以上の人を含んでいたときは、第１の人は画像の中で画像を切り抜いて第２の人を個別することが出来る。
【００７５】
タスク８０３で、第１の人は画像（タスク８０２で必要に応じて切り抜いた画像）を、画像とユーザー名の組み合わせのデータベースを持っているデータ処理システム６０３に送信する。タスク８０３の一部として、データ処理システム６０３は、良く知られた形式の顔画像認識ソフトウェアを用いて受信した画像とそのデータベース内の画像を合致させ、そして、したがって、第２の人のフィルタリング基準（例えば、ユーザー名）を得る。データ処理システム６０３はその後、第２の人を成功裏に同定したことを第１の人に伝える。
【００７６】
タスク８０４で、第１の人は彼または彼女の端末を通じてデータ処理システム６０３に、第２の人と交信することに興味があることを示し、データ処理システム６０３に、（彼または彼女のフィルタリング基準によって同定された）第２の人から送られた、あるいは送られて来るメッセージの内容を彼または彼女にすべて示すように指示する。第２の図示実施例では、第１の人は；
（１）第２の人に対する能動的興味、または
（２）第２の人に対する受動的興味
のどちらかを表明する。
【００７７】
第１の人が第２の人との交信に能動的興味を示したときは、第１の人の端末はタスク８０２で決定したフィルタリング基準を用いてデータ処理システム６０３を通じて第２の人にメッセージを送る。メッセージは次のものを含む。
【００７８】
i．第１の人の身元情報の表示（例えば、第１の人の識別情報、第１の人の画像等）および
ii．第１の人のフィルタリング基準（例えば、ブルートゥースネットワークアドレス等）
iii．表題（例えば、“求愛者からのメッセージ”等）
iv．内容（例えば、“あなたにドリンクを買ってあげて良いですか？”等）
タスク８０３の一部として第１の人が能動的興味あるいは受動的興味のどちらを表明しても、第２の人のユーザー名はデータ処理システム６０３に恒久的に記憶される被求愛者リストに記憶される。そのようなリストの例を表３に示す。
【００７９】
【表３】
2007525910.tif 000005
【００８０】
タスク８０５で、データ処理システム６０３は、第２の人が以前第１の人との交信に興味を表明したかどうかを判定する。このことは、データ処理システム６０３は以前第２の人からメッセージを受けたことがあって、そのメッセージがデータ処理システム６０３によって第１の人に一部または全部が秘匿されていたかもしれないため、必要である。この状況は、以前第２の人のメッセージの受信に応答して第１の人が一連のタスクを実行したかもしれないので、起こりうることである。どちらにしても、第２の人のユーザー名がデータ処理システム６０３に恒久的に記憶されている求愛者リスト（すなわち、第１の人に対して部分的あるいは全部秘匿されていたメッセージを送ったことがある人達）内で検索される。そのようなリストの例を表４に示す。
【００８１】
【表４】
2007525910.tif 000006
【００８２】
表４が、如何にして、いつ作られるかは図９に関して後述する。もし、第２の人のユーザー名が求愛者リスト内にあったときは制御はタスク８０６に移行し、そうでなければ制御は停止する。
【００８３】
タスク８０６で、データ処理システム６０３は第１の人の端末に対して、第２の人が以前第１の人にメッセージを送ったことがあり、したがって、以前交信することの興味を表明したことがあるという事実を第１の人に警告するよう指示する。タスク８０５の一部として、データ処理システム６０３は第２の人から過去に受け取ったメッセージを全て第１の人の端末に送信する。
【００８４】
タスク８０７で、データ処理システム６０３は第１の人の端末と第２の人の端末間に、両人が自由に交信できるよう、文字通信を開始させる。技術を良く知った人にとって、この開示を読んだ後、タスク８０６における交信が、文字、音声または動画によってなされる本発明の代替実施例を作り利用する方法は明らかであろう。
【００８５】
図９は、第２の人になるかもしれないし、ならないかもしれない第３の人から、第１の人になるかもしれないし、ならないかもしれない第４の人へメッセージが送られたときのデータ処理システムで実行される主要タスクのフローチャートを示す。
【００８６】
タスク９０１で、データ処理システム６０３は第３の人から第４の人へのメッセージを受信する。両者は互いのユーザー名で認識される。メッセージは次のものを含む。
【００８７】
i．第３の人の身元の識別情報
ii．第３の人のユーザー名
iii．表題、および
iv．内容
タスク９０２で、データ処理システム６０３はかつて第４の人が第３の人との交信に興味（能動でも受動でも）を示したことがあるかどうかを判定する。タスク９０２は、第４の人の被求愛者リストの中に第３の人のユーザー名を検索することで完了する。もし、第３の人のユーザー名が第４の人の被求愛者リストにあったときは制御はタスク９０３に移行し、そうでないときは制御はタスク９０５に移行する。
【００８８】
タスク９０３で、データ処理システム６０３は第４の人の端末に、第４の人に対してメッセージの到着を知らせるメッセージを送り、ユーザーにそのメッセージを送る。
【００８９】
タスク９０４で、データ処理システム６０３は第３の人と第４の人が自由に交信できるよう両者の端末間に文字通信を開始させる。技術を良く知った人にとって、この開示を読んだ後、タスク８０６における交信が、文字、音声または動画によってなされる本発明の代替実施例を作り利用する方法は明らかであろう。
【００９０】
タスク９０５で、データ処理システム６０３は第１の人にメッセージの到着を知らせ、第１の人に；
i．メッセージの表題
を伝える。データ処理システム６０３は第４の人の端末に対しては、
i．第３の人を同定する情報、および
ii．第３の人の端末のユーザー名、および
iii．メッセージの内容
は、留保する。
【００９１】
第３の人からのメッセージを受信すると第４の人は見回して、彼または彼女が求愛する誰かにメッセージを送ることを考慮するよう促される。もしそれが第３の人であるようにそのことが起こった場合は、交信が行われる。もしそうでない時は、第４の人は見回して、彼または彼女が求愛する誰かにメッセージを送ることを考慮するよう促される。タスク９０５の一部として、データ処理システム６０３は第３の人のユーザー名を表４に示すようなその求愛者リストに追加する。タスク９０５の後、制御は停止する。本発明のいくつかの代替実施例では、全てのメッセージとその存在は、その被求愛者が求愛者との交信に興味を表わさすまでは被求愛者に秘匿される。
【００９２】
技術を良く知った人にとって、この開示を読んだ後に、第１の人の端末に対し、第１の人からのメッセージの表題または内容の一部または全部を秘匿するという、本発明の代替の実施例を作り、利用する方法は明らかであろう。
【００９３】
本発明の図示実施例は、本発明の単なる１実施例であり、本発明の領域を超えない範囲で多くの変形実施例が可能である。このため、その変形例は請求項およびその均等物の範囲に含まれる。
【００９４】
付属書
概略
本発明は、主には互いに物理的に近くに居る人々の間での電子的な交信を確立し容易にする方法である。それは、専用の装置または、他の、例えばＰＤＡ（personal digital assistant）または携帯電話のような、拡張機能を有する携帯装置のような小型の可搬装置の形態で、部分的に具体化される。装置は、一枚ごとの静止画像と動画像を記録できるデジタルカメラ、文字入力の手段と音声記録手段、装置に直接情報を入力する代替としてコンピュータから情報（文字、音、画像、または動画）を伝達する能力、文字や画像を表示したり音や動画を再生する能力、プログラム可能なマイクロプロセッサ、メモリー記憶装置およびその呼び出し機能―全て今日の携帯電話やＰＤＡには一般的に用意されている仕様であるが―を含むことが出来る。さらに、装置は追加のハードウェアの機能を持つことが出来る。
【００９５】
本発明の主な目的は、互いに物理的に近くに居る人々の間の交信を可能にすることである。それは、本発明のユーザーに次のような能力を提供することによって行われる；（１）その対象との接触情報（電話番号、Ｅメールアドレス等）は判らないが、視覚的に同定されている彼または彼女の環境内で、他の個人（または乗り物−自動車やバイク等）を特定するために電子的に（文字、声、画像、または動画を）交信する能力、（２）拒絶というリスクなしに他人への興味を別個に交信出来、同時に受信側の人を、歓迎できない交信から保護する能力、（３）ユーザーが、特定の他のユーザーと共有する共通の属性を互いに明らかにすることが出来る能力。本発明の適用先は、他の、社会活動、ビジネス、市民活動、軍用の応用も予測されるが、主に恋愛関係を実現させることである。
【００９６】
背景
潜在的に相性の良い人々というものは、人がその人達を知っているかどうかという区分に従って、２つのカテゴリーに分類される。第１のカテゴリーは、人がその人達と会ったこともなく、見たこともなく、まして聞いたこともないために、知らない全ての人々である。このグループは、オンラインデートサービス、新聞、個人広告、および縁結びの人によってアプローチが行われ、個々人に、相性が良いかもしれない特定の他の人が知らされる。この同様の人達に供するより新しい開発技術は、Ｊａｐａｎｅｓｅ  Ｌｏｖｅｇｅｔｙ  や、Ｓｐｏｔｍｅ装置のような携帯装置であって、それがなければ知らないままになってしまう潜在的に相性の良い人達を、ユーザーの直接の環境内でユーザーに知らせる。更に最近、携帯電話会社ＡＴ＆Ｔワイヤレス社は、オンラインデートサービス、Ｍａｔｃｈ．ｃｏｍに連携させて携帯電話ユーザーに、ユーザー同士が同じ近隣に居る場合に稼動するプロフィールマッチングサービスを提案している。これら全てのサービスは、ユーザーにさもなければ知ることがない、潜在的な相性の良い人を知らせてくれる。
【００９７】
第２のカテゴリーの人達は、人がすでに彼らに会ったことがあり、聞いたことがあり、少なくとも認知しているので、すでに知っている人達である。このグループは、友人、クラスメート、同僚、親類、および、八百屋、エレベーター、地下鉄、レストランなど日常活動の通常の道筋で知るようになった最大の他人グループを含む。このグループの人の誰かと関係を持つようになった時には、人は、どの人に興味を持ち、どの人に持たないかを知っている。したがって、問題は、誰とデートするかでなく、如何にそれが起こるようにするかということである。このように、このグループでは、互いを会わせることを提供するサービスの必要性は殆どない。しかし、すでに興味を持っている人達の関係の発展を実現させる必要性がある。
【００９８】
すでに知っていて興味を持っているこのグループの人々の間で、友達になったりデート目的で会うことへの最大の障害は、自身の誘いに乗って行動し、興味を持った人にアプローチして（直接または間接に）自身の思いや希望を表明することへの遠慮である。彼らが魅力を感じている人にアプローチするのを妨げる障害が３つある；
（１）興味の相手が始めての人であった場合、その人に物理的にアプローチするためには社会的な環境は適切、助成的、あるいは好都合でないかもしれないのでやりにくいかもしれない。例えば、その相手は、その友人のグループには電話でか、あるいは、直接話をするかもしれない。
（２）人々は興味が相互的であるかどうかは判らない、しかも拒絶を恐れる。もし興味があらかじめ知られていたときには、拒絶の結果は深刻である。
（３）単に口実がないために、初めての人にアプローチするのが難しいかもしれない。更に、共通点が認識されるまでは会話がぎこちない可能性がある。
【００９９】
第１の障害、初めての人にアプローチするやりにくさは、単純に文字メッセージで大きく克服できる。社会状況がどうあれ、文字メッセージは興味の相手に個別に送ることができる。しかし、根本的な問題があって、それは相手への接触情報（電話番号、またはEメールアドレス等）が判らないことである。
【０１００】
第２の障害、拒絶および屈辱のリスクは、もし各々が彼らの興味を個別に安全に開示できる共通の第３者がいれば克服できる。そして、もし興味がお互いにあれば、両者が惹かれていることを両者に伝える。しかし、もし第１の人だけが第２の人への興味を表わしているのであれば、第３者は第２の人にはなにも伝えないで、第２の人は第１の人が興味を抱いたことは知ることがなく、リスクもなく失うものもない。もちろん、特に両者が始めて同士の場合は、必要なときに両者が知っている第３者が居るということは起こり得そうもない。
【０１０１】
第３者の代わりとして、人々の相互作用を仲介する第３者としてコンピュータを用いることができる。現在このことをある程度行う少なくとも２，３のサービスが存在する。ウェブサイトSecretAdmirer.comは、人が、彼らに秘密の求愛者がいることだけを告げる、第２の人に送られる匿名のＥメールを受け取り、その第２の人に他の人に匿名のＥメールを送るよう促すサービスを提供している。そして、もし第２の人がたまたま第１の人に“秘密の求愛者Ｅメール”を送ると、二人は互いの興味を知らされる。インターネットの代わりに携帯電話を用いるスウェーデンの会社Blue Factory社の“Flirtylizer”と呼ばれる同様のサービスも存在する。しかしながら、どちらのサービスも同じ致命的な限界を持っており、それらは対象の人のＥメールアドレスか、電話番号を知っている必要がある。したがって、これらのサービスは始めての人に対しては使えない。
【０１０２】
第３の障害、初めての人との交信の難しさは、やはりコンピュータである第３者の助けで克服できる。もしユーザーが第３者に彼ら自身の情報を分け与えていれば、第３者は両者に、両者の共通点を披瀝できる。こうして、人々はその人や共通に持っている場所や行動についてすぐに話ができる。他の人と共通のものを持つということは、信頼と開放性を生じさせる、何故なら“あの人は私みたい”だからである。オンラインデートサービスも個々人が共通性を識別できるようになっている。しかし、これらのサービスは共通性を、人々を互いに組み合わせて、彼らに互いの存在を知らせるために使用している。したがって、これらのサービスはサイバースペースの範囲外で、人が誰かと現実の世界で出会ったときは何の助けにもならない。また、ユーザーが共通に持っている他の人や人々のネットワークをユーザーが同定できる、例えば、FriendsterやOrkutのような社交用のネットワークウェブサイトがある。しかし、これもまた他の人をオンライン上で識別することのみに有効なだけである。現実の世界ですでに互いに認識し合っており、会うことに興味がある人々にとって、紹介を実現し会話を開始させるツールとしてはこれらのサービスは全く役に立たない。
【０１０３】
本発明は、これら３つの障害を克服し、人が興味を表明して相手を知るようにさせるよう工夫されている。それには２つの主たる機能がある。
【０１０４】
機能＃１：知覚によるアプローチ
知覚によるアプローチは、ある人、ユーザー＃１、が他の人、ユーザー＃１が彼または彼女の環境内で見ることは出来るが接触のための情報を持たないユーザー＃２、との交信チャンネルを確立する機能である。これらの交信は１人の人から他の人へ送られるメッセージの形や、生の対話式の双方向の音声および／または動画の形態が可能である。これらの交信内容は、文字、画像、動画および声を含むあらゆる形のデジタル媒体を含むことができる。同じ近隣にある装置は互いに直接の装置から装置への送信を介して交信でき、あるいは、代わりに、インターネット、携帯電話ネットワーク、またはある他のネットワークなどのネットワークに無線で繋がって交信可能となる。
【０１０５】
機能＃２：個別メッセージのやりとり
“個別メッセージのやりとり”は、“信頼される第３者”（２つの携帯装置−２人の個人が交信する−のシステム、または各携帯装置が交信する第３者のサーバーのどちらか）としての自動化システムを用いてメッセージのやり取りを行う独自の形体であって、“個別メッセージのやり取り”の専用アプリケーションの合意ルールに従って、メッセージ内容のさまざまな部分の開示／非開示や、送られた事の事実さえもその開示／非開示を調整する。更に、両者が受信される内容の特別な視点は変えることができる。言い換えれば、ユーザー＃１がユーザー＃２に個別メッセージを送ることができるが、ユーザー＃２からユーザー＃１に送られる個別メッセージの内容如何では、実際にユーザー＃２によって受け取られ、見られるメッセージの内容が変化することが起こりうる。逆もまた同じ。デート約束という領域に適用する個別メッセージのやり取りの特別な実行例として、さらに特有の３つのパートの説明文が提案されている：
パート（ａ）個別メッセージのやり取りとは、ユーザー＃１がユーザー＃２への興味を示すメッセージを送ることが出来、（i）ユーザー＃２が独立にユーザー＃１ヘの興味を示すメッセージを送り、かつ（ii）ユーザー＃２がユーザー＃１によって特定された最小限の相性要求内容に合致し、かつ（iii）ユーザー＃１がユーザー＃２によって特定された最小限の相性要求内容に合致しない限り、ユーザー＃２はメッセージが送られたことを知ることがないことを保証する機能である。
【０１０６】
異なった風に言い直すと；どちらかのユーザーが他のユーザーからの個別メッセージ（ＤＭ）を知り、見る。両ユーザーは互いにＤＭを送らなければならない。両ユーザーは相手のユーザーによって指定された最小限の相性要求内容に合致しなくてはならない。
【０１０７】
パート（ｂ）上記のパート（ａ）が満たされ、両ユーザーが相手から送られたメッセージを読むことができるケースでは、個別メッセージのやり取りは、両ユーザーが個人情報を共通に分け合う場合にのみ、その情報を相手に追加開示する。開示される共通の属性の例は、例えば、両ユーザーが知っている人々や、両ユーザーがかつて住んでいたか訪れたことのある場所、共通の宗教、共通の話し言葉、共通の政治的あるいは哲学的観点等の彼らを互いに結びつける特別な社交的関係である。
【０１０８】
パート（ｃ）上記のパート（ａ）が満たされた場合、各ユーザーに表現される、メッセージの特別の視点の内容は、両ユーザーによって表明された内容に依存することが出来る。例えば、もしユーザー＃１が彼女のユーザー＃２への興味を“興味を抱いた”と表現し、ユーザー＃２が彼のユーザー＃１への興味を“一目ぼれ”と表現したときは、両ユーザーによって実際に交信され受信される興味のレベルは２つのレベルの低い方−“興味を抱いた”である。このように、どちらのユーザーも興味の不均衡を知らない。（どんな特別なアプリケーションでもどの不測事態が許されるかを正しく対策してあれば、循環トラブルを解決できる）
【０１０９】
知覚的アプローチ例＃１
ボブは歯医者の予約に行く途中で市バスに乗っている。次の停留所で彼は魅力的な女性、サラを見つける。サラはバスに乗り込み彼とアイコンタクトしてから彼の２、３列前の席に座る。彼は、直ぐに行動しなければ２度と彼女に会えないであろうことを知っている。そこで、彼は彼の携帯端末を使って彼女に、彼のコンタクト情報−電話番号、Ｅメールアドレス、装置のネットワークアドレスなどを含んだ短いメッセージを送る。彼は直ぐに“メッセージは送られました”という確認メッセージを受信する。彼は彼女が彼のメッセージに応答してくれることを望んでいる。
【０１１０】
知覚的アプローチ例＃２
ジョンはシアトルからサンフランシスコまで運転している。時間も遅くなり、彼は夜のホテルを見つける必要がある。彼は大きなセミトレーラの後ろを走っていて、彼は多分そのドライバーが近くの宿泊場所を推薦してくれると考える。彼は携帯装置を取り出し、ボタンを押す。彼は２つの登録プレート番号がディスプレーされているのを見る。彼は、自分の前のトラックに対応する方を選択する。彼は装置を耳に当てる。そのとき、ジョンの前のピックアップトラックのピートが自分の携帯装置を取り上げ、ディスプレーに“プレート番号ＡＹＫ−３３４からの呼び出し”という表示を見る。ピートはボタンを押して“やあどうだい？”と言う。彼らは携帯電話で短い会話を交わし、ジョンはこの辺のホテルを聞いてピートが２、３推奨する。
【０１１１】
個別メッセージのやり取りの例
カフェに座っている少女が、魅力を感じ会ってみたいと思う男が入ってくるのを見る。自分の携帯装置を使って、彼女は彼に自分が興味を持ったというＤＭを送る。彼女の装置はメッセージが成功裏に送られたが見られていないことを示す。彼の装置はメッセージが送られても何の表示もしないので、彼はメッセージが自分に送られたことを知らない。彼女は、彼が自分の送ったメッセージのことを気がつかないことを喜ぶ。なぜなら、彼女は彼も自分のことを好きであることが確実でない限りは、彼が自分が彼を好きになったことを知って欲しくなかったからである。実際には、彼女はその保証がなければ、メッセージなど何も送らなかったはずである。２，３分後、彼女の装置が彼女に、ＤＭを受信したことと、彼女が彼に送ったＤＭが読み取り可能になったことを知らせる。彼女が自分の装置を見ると、それは彼に送ったＤＭの日付と時間と共に、彼女宛の彼のＤＭを受信した日付と時間を表示している。さらに、彼女にＤＭを送った男の小さな写真（彼女は彼を特定および／または記憶できる）と、彼のファーストネーム、“コンタクト；本人、電話、Ｅメール”というメッセージ、彼の携帯電話番号、Ｅメールアドレスが表示されている。加えて、彼女の装置は、彼と共通のことがら（２人共イタリアから来た祖先を持ち、映画“マトリックス”が好き）や、社交的にどう２人は繋がっているか（彼女の友達べスジョンソンはピーターグリフィンを知っており、ピーターグリフィンは彼の友達デビッドグロスを知っている）を表示する。一方、彼女はすでにＤＭを彼に送ったので、彼が彼女にＤＭを送った瞬間、彼女が送ったＤＭが彼の装置に表示される。彼の装置のディスプレーには、彼女の写真、彼女の身元を保護するための彼女の架空の名前、“コンタクト；本人、電話、Ｅメール”というメッセージ、彼女がデート目的にのみ使っている匿名のＥメールアドレス、彼女の装置に表示されたのと同じ共通属性情報を含んでいる。彼は通常は恥ずかしがりやだが、彼女も自分に興味があることにわくわくして彼女に近づき自己紹介する。彼らは直ぐにピーターグリフィンを通した関係について話し始める。
【０１１２】
システム構成と説明
I．独自の識別符号
一つの装置が他の装置に送信するときはいつでも、その送信が近くの全ての装置に宛てた放送であれ、特別な一つの装置に宛てた送信であっても、その送信には送信装置の独自のアドレス情報、すなわち、独自の識別番号（装置のＩＤ番号）やネットワークアドレス（例えば、電話番号、ＩＰアドレス、Ｅメールアドレス）を含む。保安性の理由から他の装置のＩＤ番号やネットワークアドレスは各装置のソフトウェアシステムにのみ知らされ、ユーザーはアクセスできないことを知っておくべきである。
【０１１３】
II．送信方法
本発明は情報を送信する多くの方法と矛盾がなく、使用される知覚的アプローチの方法如何では、一つ以上の送信モードが含まれる。無線通信のモードは、色々な技術、周波数およびプロトコルを含む−例えば、無線周波数（ＲＦ）、赤外線（ＩＲ）、超広帯域（ＵＷＢ）、ＷｉＦｉ（８０２．１１）あるいは現在使用されている無線技術やこれから発明される無線技術である。無線の送信手段に加えて、非無線の手段も使用される。
【０１１４】
装置間の送信は、ユーザーには明白であり、直接的か、インターネット、ケーブル網、サテライトネットワーク、電話網、携帯電話網、またはいくつかの組み合わせを介して間接的かである。さらに、ユーザーの装置間交信を仲介する第３者装置を置くこともできる。装置換の送信は、同じアプリケーションを共有していない他の装置が、単に一時的に存在させるだけの秘密の内容にアクセスすることを妨げるため、暗号化することが出来る。
【０１１５】
本発明は、両装置間に確立される交信のタイプに関しては無関係である。例えば、交信は、個別のメッセージやメディアファイルの送受信で行うことも出来るし、代わりに、交信は電話の会話やビデオ会議のように、同時双方向で生の音声や動画を流すことで行うことが出来る。
【０１１６】
III．知覚的アプローチの方法
もしユーザーが電子的に交信したい誰かを発見（見たり、聴いたり）した場合、その意図した受信者をターゲットにする方法がなければならない。問題は、そのユーザーは常に意図する受信者のアドレスを持っているわけではないことである―装置のＩＤも、電話番号も、Ｅメールアドレスも持っていない。典型的には、そのユーザーが持っている情報は対象とする個人の、ユーザーに関係するおおよその場所と対象者の視覚的外観のみである。いくつかのケースではユーザーは対象の個人の声も聴くことができるかもしれないが、その特性は、充分に眼に収めたユーザーにとってはあまり有効なものではないであろう。知覚的アプローチのゴールは、したがって、対象の人や乗り物に関するこの限定された対象情報から対称の人の装置に通信を送ることが出来ることである。
【０１１７】
全ての知覚的アプローチが実行しなくてはならない４つの基本的な（連続的ではない）仕事がある。
【０１１８】
１．多くの可能な対象から目指す人や目指す乗り物をユーザーが特定できること。  彼または彼女の装置を使って、ユーザーは（ａ）一人の人／一台の車を多くの中から（ｂ）ユーザーがその人／車を直接知覚できるユーザーの行動範囲内で（ｃ）一つ以上の識別特性に基づいて（ｄ）しかもユーザーが主観的に経験したことがある識別特性によって特定しなくてはならない。識別特性には３つある：マクロ的な外観、ユーザーとの位置関係、かつ／または主観的な声の質である。ユーザーが多数の中から対象の人／車を特定するいくつかの例を挙げる：ユーザーの装置−それは指向性の送信機を持っている−を目指す対象の人に向ける。サーバーが受信したいくつかの画像の中から対象とする人に似ている人の像を選択する。カメラを向けて写真を撮り、結果の画像の対象の人とよく似た部分を選択する。対象の人に歩み寄って彼らのＲＦＩＤタグを走査する。サーバーが受信したいくつかの声のサンプルの中から対象とする人の声に似た一つの声のサンプルを選択する。近くの車で見えた登録プレート番号をユーザーの装置に入力する。等々。
【０１１９】
２．対象の人、対象の人の車、または対象の人の装置（対象の人が装置を持ち歩いているという仮定で）の識別特性を決める。  識別特性は対象の人を同定できるようにする特性である。それは、上記で多くの潜在的対象者の中から一人を特定するために使用した区分け特性と関係しているかもしれないし、していないかもしれない。区分け特性とは対照的に、識別特性はユーザーによって認識されている必要は無い。識別特性のいくつかの例は：顔、耳、網膜、声などの生物測定学上のプロフィール、位置関係、対象の人の装置から発せられるＩＤ又はアドレスの送信波、ライセンスプレート番号、等である。
【０１２０】
３．対象の人／車の区分け特性と対象の人／車／装置の識別特性とを関連させる。  この関連付けは、ユーザーが対象とする人／車を特定する以前でも後でも行うことが出来る。この組み合わせの例は：（ａ）装置のカメラを対象の人に向けて生物測定学的なデータを取って対象の人の関係する部分（区分け特性）を対象の人の生物測定学的プロフィール（識別特性）と関連付ける。（ｂ）データ処理システムがユーザーの装置に、認知距離に居る他のユーザーの装置のＩＤと共に画像を送ってくる。−この場合、関連付けは目指す対象の人を選択する前になされている。
【０１２１】
４．対象の人／車の識別特性と対象の人の装置の遠隔通信アドレスを関連づける。  この操作はユーザーの端末かまたはデータ処理システムで行われる。それには一つ以上の中間的な関連ステップがあり得る。
【０１２２】
一度目指す受信者の正しい装置ＩＤおよび／またはネットワークアドレスが得られれば、知覚的アプローチの仕事は完了する。装置間にはその後のさまざまな交信に関して制限は無い。
【０１２３】
画像の確認
視覚的外観と相対的な位置関係はユーザーが対象の人（もしその人が始めて会う人の場合は）を特定するのに主要な方法であり（独特の声の質や独特の匂いは一般的ではない）、画像の確認はしばしば知覚的アプローチでは重要な役割を演じる。コンタクトを始めようと思っているユーザーは、彼または彼女がコンタクトしようと思っている人が実際にコンタクトされた相手なのかどうかを立証する必要がある。このために、ユーザーにとってその装置内に彼らの顔、現在来ている服装を示す彼らの身体、彼らが現在運転している車の外観、または彼らが現在運転している車の登録プレート番号のいずれかのデジタル画像を記憶して持っていることは助けになる。知覚的アプローチの多くの方法では、装置は要求に応じて自動的に他の装置（同じアプリケーションの一部である）にその画像を送りつける。しかし、これらの画像が識別目的や確認目的のみに使用されることが重要である。このため、ユーザーの装置に記憶される他および人たちの画像の識別や確認は非常に短い（秒や分で計られるような）寿命しかなく、その後自動的に削除される。これらの画像が装置内に記憶される時間の長さは、交信がすでになされた相手の画像であるかどうかや、相手の画像がその相手からの交信の一部として受け取ったか、その相手と交信を始めたときに確認プロセス中に受け取ったのかどうかを含む多くの要因に拠る。
【０１２４】
視覚的確認の過程で、ユーザーは自分の画像が要求に応じて相手の装置に送信されるように、自身の画像を自分の装置に入力する手段が必要である。ユーザーが自分の画像を自分の装置に入力するには、いくつかの携帯電話にあるデジタルカメラを装置に装備することが便利である。ユーザーが効果的に自分の画像を撮影するには、カメラレンズがカメラのディスプレーと同じ方向を向くことができると助かる。性能の良いデジタルカメラを使ってユーザーは画像を自分の現在の姿に良く合致させるようにしばしば更新できる−他の人が自分がコンタクトしたい相手とコンタクトしたことを正しく立証するために重要である。
【０１２５】
位置関係を決める方法
いくつかの知覚的アプローチ法はユーザーとその潜在的な対象の人の位置関係を決定する能力に依存している。これらの方法は、現存する、あるいは、まだ発明されていない、位置の特定を数センチメートルの正確さで行う位置検出技術の使用を必要とする。位置決めの特別な方法は本発明の主題ではなく、それを満たすいくつかの方法もある。（例えば、広がるコンピューティングとコミュニケーションに関する第１回ＩＥＥＥ国際会議（PerCom2003）の議事録“プライバシーを主体とした高性能位置決めシステム”ページ216-223）がそれには充分であろう。他の、ＧＰＳ，ＷｉＦｉ，ＲＦ三角法、赤外、超音波、ＤＦＩＤ、または、数センチ内で各装置位置が正確に決定される多くの他の技術もまた充分である。
【０１２６】
以下に示すのは、知覚的アプローチのいくつかの異なった方法である。これらの方法は単独または組み合わせで使用される。
【０１２７】
方法＃１：無指向性送信
無指向性信号は認識近隣内の全ての装置に向けての放送である。その信号は、送信装置（装置＃１）の装置ＩＤ番号とネットワークアドレス、および全ての受信装置がそのＩＤ番号とアドレスをそのユーザーのサムネール画像とともに要請側の装置に送ることの要請を含んでいる。要請を開始したユーザー（ユーザー＃１）は、受信した全ての画像を見て、彼女がコンタクトしてみたい人の画像を選び、実際ユーザー＃２の装置（装置＃２）のアドレスを選択する。この方法で一人のユーザーはそのユーザーが居る領域内のできるだけ多くの画像を受信する。この方法のメリットは：ａ）ユーザーが特別に対象者に近いことは要請しない。ｂ）この方法は位置検出技術のインフラを必要としないので、現在どこででも実行可能である。この方法は以下のステップを含む：
（１）ユーザー＃１が、彼女が交信したいと思う誰か、ユーザー＃２を見つけ、装置のインターフェースを使って（彼女は例えば、ボタンを押す）自分の装置に、ごく近傍の全ての他の装置とコンタクトを取りそのユーザーの画像を得るよう指令する。
（２）するとユーザー＃１の装置（装置＃１）は、範囲内の全ての他の装置に対して無指向性の、宛先無しの通信を放送する。送信は、ユーザー＃１の装置ＩＤとネットワークアドレスおよび装置＃１に画像を送ることの要請を含んでいる。
（３）要請を受信した各装置は、自動的に（ユーザーが知らない間に）装置＃１に宛てた送信で応答し、その自分の装置ＩＤとネットワークアドレスおよびそのユーザーの画像を送る。（他の装置はそれが自分に宛てられたものでなければ無視するので、装置＃１だけがそれらの画像を受信する）
（４）ユーザー＃１は全ての装置から受信した画像を調べてユーザー＃２の画像を選択し、それによって装置ユーザー＃２の装置ＩＤとネットワークアドレスを選択する。
（５）装置＃１は装置＃２へ宛てた通信を開始する。送信の手段は直接（もし２つの装置が同じ一般の近隣にあるときは、装置から装置）または間接に（ネットワークを介して装置＃２のネットワークアドレスに）行うことが出来る。
【０１２８】
方法＃２：限定半径内の装置に対する無指向性送信
この方法は、方法＃１と同じだが、ユーザーの画像の要求が限定された信号強度で行われるように変更してあり、ユーザー＃１は対象の人（ユーザー＃２）の２，３フィート以内に居なければならず、コンタクトされる他の装置の数を限定しており、受信する画像の数も限定する。信号強度を制御する方法としてユーザーには２つのオプションがある：（ａ）ユーザーが、信号強度を決めることになる希望する有効距離を指定する（選択は多分、例えば“５フィート”のように距離の単位でとか、“遠く”“中間”“近く”のように一般的な範囲として選択される）、または（ｂ）ユーザーはコンタクトする人の最大数を指定する（選択は例えば、“３人”のように特定に人数でとか、“非常に僅か”“数名”“多数”のように一般的な人の数で行われる）：信号強度は非常に低いレベルからスタートして最大人数とコンタクトするまで増加する（受信する応答数の数を計測する）。最初の送信は装置ＩＤ番号、ネットワークアドレスおよび関連する画像を要求する。ユーザー＃１は目指す受信者の対応する画像を選択し、したがって正しい相手の装置ＩＤ番号とネットワークアドレスを選択する。この方法は以下のステップを含む：
【０１２９】
（１）ユーザー＃１は、彼女の装置に送信距離の既定値（例えば、“５フィート”）をセットする。
（２）ユーザー＃１は誰か、すなわちユーザー＃２を見て交信したいと思う。彼女はユーザー＃２の５フィート以内に歩み寄り、彼女の装置にそのインターフェースを使って（例えば、ボタンを押して）５フィート以内の全ての装置とコンタクトして、装置のＩＤ番号、ネットワークアドレスおよび画像を各装置から得るように指示する。（あるいは、ユーザー＃１は、コンタクトする最大の人数を指定して始めに発信される要請の信号強度を制御して、彼女の装置が最大数の応答が受信されるまで徐々に信号強度を増す。もし彼女が最大数を１にして送った場合は彼女に一番近い人のみがコンタクトされる）
（３）装置＃１は、他の装置に対して無指向性の通信を、“通常状態”下で約５フィートに有効に到達する信号強度で放送する。送信は、装置＃１のＩＤ番号、ネットワークアドレス、および他の装置の装置ＩＤ番号、ネットワークアドレスおよび画像を送れという要請を含んでいる。
（４）要請を受信した各装置は要請を発した装置に向けて応答し、そのユーザーの画像と共にその装置ＩＤ番号、ネットワークアドレスを送る。
（５）装置＃１は範囲内の全ての他のユーザーから、装置ＩＤ番号、ネットワークアドレス、および画像を受信する。
（６）ユーザー＃１は、ユーザー＃２の画像を選択し、したがってユーザー＃２の装置ＩＤ番号、ネットワークアドレスを選択する。
（７）装置＃１は装置＃２に宛てた通信を開始する。送信の手段は直接（もし２つの装置が同じ一般の近隣にあるときは、装置から装置）または間接に（ネットワークを介して装置＃２のネットワークアドレスに）行うことが出来る。
【０１３０】
方法＃３：他のユーザーの装置に向けた指向性送信
この方法は方法＃１と同様であるが、装置＃１が初期の送信を全方向に行う代わりに対象の人（ユーザー＃２）に向けて比較的狭いビームでフォーカスする。したがって、送信によってコンタクトする他のユーザーの人数を少なくし、一方同時に、ユーザー＃１がユーザー＃２から少し離れていることを可能にする。小さな携帯装置から高い指向性の送信を発する必要と、送信機と受信機の間の障害物（衣服や身体のような）を通過する必要性のバランスから、送信は１００ＧＨｚから近赤外光の範囲を使用する。この方法は以下のステップを含む：
【０１３１】
（１）ユーザー＃１は誰か、すなわちユーザー＃２を見て交信したいと思う。彼女は自分の装置（装置＃１）をユーザー＃２に向ける。ユーザー＃１は彼女の装置にそのインターフェースを使って（例えば、ボタンを押して）ユーザー＃２の方向にある全ての装置とコンタクトして、それらユーザーの装置のＩＤ番号、ネットワークアドレスおよび確認画像を各装置から得るように指示する。
（２）ユーザー＃１の装置（装置＃１）は、目指すユーザーの方向にあるすべての他の装置に向けて指向性の通信を送る。送信は、装置＃１のＩＤ番号、ネットワークアドレス、および他の装置の装置ＩＤ番号、ネットワークアドレスおよび画像を送れという要請を含んでいる。
（３）要請を受信した各装置は要請を発した装置に向けて応答し、そのユーザーの確認画像と共にその装置ＩＤ番号、ネットワークアドレスを送る。
（４）装置＃１はユーザー＃２の方向にある全ての他の現場のユーザーから、装置ＩＤ番号、ネットワークアドレス、および確認画像を受信する。
（５）受信した確認画像の中から、ユーザー＃１は、ユーザー＃２の画像を選択し、したがってユーザー＃２の装置ＩＤ番号、ネットワークアドレスを選択する。
（６）装置＃１は装置＃２に宛てた通信を開始する。送信の手段は直接（もし２つの装置が同じ一般の近隣にあるときは、装置から装置）または間接に（ネットワークを介して装置＃２のネットワークアドレスに）行うことが出来る。
【０１３２】
方法＃４：ＲＦＩＤタグへの指向性通信
障害物を透過するという指向性通信を構築する代わりに、この透過性特性に関係のない高周波の高指向性の光束（例えば、赤外光）が注目される。それは、各ユーザーの衣服の外側にクリップ止めされる小さな無線周波数識別タグ（ＲＦＩＤ）を含んでおり、他のユーザーの装置によって走査されると、その問い合わせた装置に、対象とするユーザーの装置の装置ＩＤ番号を送信する。対象とするユーザーのＲＦＩＤタグを走査するためには、装置は高周波信号（例えば、赤外光）を用いた高指向性の走査能力を持っている。ユーザー＃１は彼女の装置（装置＃１）を興味を持った人（ユーザー＃２）に向ける。すると、どれだけ走査箇所に焦点を当てたか、どれだけ正確にユーザー＃１を狙ったかに拠って、ビームはユーザー＃２を含む１人以上のＲＦＩＤタグとコンタクトし、その装置ＩＤ番号を装置＃１に送信する。次に装置＃１はコンタクトした各装置に向かって無指向性の通信を送る。送信は、ユーザー＃１の装置ＩＤ番号、ネットワークアドレス、および他のユーザーの確認画像を送れという要請が入っている。コンタクトした全ての装置から確認画像が受信されると、ユーザー＃１は目指す受信者、つまりユーザー＃２の画像を選択し、こうしてその個人にのみ向けて通信を送る。この方法では、ユーザー＃１の装置と他のユーザーのＲＦＩＤタグの間に可視空間ラインが必要であり、かつ、受け取るＲＦＩＤタグが走査装置にどれだけ遠くまで返信できるかという範囲の限界がある。この方法は以下のステップを含む：
【０１３３】
（１）ユーザー＃１は誰か、すなわちユーザー＃２を見て交信したいと思う。彼女は自分の装置（装置＃１）をユーザー＃２に向ける。ユーザー＃１は彼女の装置にそのインターフェースを使って（例えば、ボタンを押して）ユーザー＃２の方向にある全ての装置とコンタクトするよう指示する。
（２）装置＃１は、ユーザー＃２の方向に高周波（例えば、赤外光）の高指向性の信号を送信する。この信号は、装置＃１のＩＤ番号を含んでおり、１人以上のユーザーのＲＦＩＤとコンタクトする。
（３）装置＃１からの通信を受信した各ＲＦＩＤタグは装置＃１の装置ＩＤ番号に宛てて、そのユーザーの装置ＩＤ番号を送信する。
（４）装置＃１は、コンタクトした全てのＲＦＩＤタグから装置ＩＤ番号を受け取り、その装置ＩＤ番号に宛てて無指向性の通信を送る。その通信には装置ユーザー＃１の装置ＩＤ番号、ネットワークアドレス、およびそのユーザーの確認画像を送れという要請を含んでいる。もし、どれかの装置が現在その近距離域を離れていたり、または他の理由でコンタクトできなかったときは、通信はその装置のネットワークアドレス宛に行われる。
（５）確認画像の要請を受信したユーザーの画像を装置＃１に送る。
（６）装置＃１は、全ての確認画像を受け取り、それを表示する。ユーザー＃１はコンタクトを意図したユーザー、すなわちユーザー＃２の画像を選択し、したがって装置＃２の装置ＩＤ番号およびネットワークアドレスを選択する。
（７）装置＃１は装置＃２に宛てた通信を開始する。送信の手段は直接（もし２つの装置が同じ一般の近隣にあるときは、装置から装置）または間接に（ネットワークを介して装置＃２のネットワークアドレスに）行うことが出来る。
【０１３４】
方法＃５：ＲＦＩＤタグに対する無指向性通信
この方法は方法＃４と同様であるが、２つの違いがある：（ａ）目指す人のＲＦＩＤタグを走査するための送信は無指向性である。（ｂ）走査が無指向性であるので、走査は非常に真近で行わなければならない。興味の相手を選択するためには、ユーザー＃１は、走査の送信を作用させるときはユーザー＃２の非常に近くに立つ必要がある。また、ユーザー＃１は走査距離内に他のユーザーが一人も居ないことを確認することが重要である。
【０１３５】
方法＃６：中間的なＲＦＩＤタグに対する指向性通信
方法＃４と同様、ＲＦＩＤタグがユーザーに着用され、ユーザー＃１の装置（装置＃１）から高指向性の高周波の通信を受ける。しかし、装置＃１に高周波信号を返信する代わりに、ＲＦＩＤタグが入力信号を比較的低周波の無線周波数（ＲＦ）信号（それは衣服や身体を容易に通過する）に変換し、このＲＦ信号を、持ち主の装置の装置ＩＤ番号に宛てて、その装置（最大２，３フィートしか離れていない）に送る。この信号は、装置＃１の装置ＩＤ番号、ネットワークアドレス、および確認画像の要請を含んでいるために、信号を受け取った後相手の装置は装置＃１に向けて、無指向性の通信を行い、その装置ＩＤ番号、ネットワークアドレス、およびそのユーザーの画像を送る。そこで、ユーザー＃１は、彼女が交信を意図した人、つまりユーザー＃２の画像を選ぶだけでよく、続いての通信をその人に宛てて行う。この方法は、やはり送り手の装置と受信側のＲＦＩＤとの間に可視空間ラインが必要ではあるが、ＲＦＩＤタグは開始した装置に返信しないため、前の方法にあった距離の制限は無い。この方法は次のステップを含む：
【０１３６】
（１）ユーザー＃１は誰か、すなわちユーザー＃２を見て交信したいと思う。彼女は自分の装置（装置＃１）をユーザー＃２に向ける。ユーザー＃１は彼女の装置にそのインターフェースを使って（例えば、ボタンを押して）ユーザー＃２の方向にある全ての装置とコンタクトするよう指示する。
（２）装置＃１は、ユーザー＃２の方向に高周波（例えば、赤外光）の高指向性の信号を送信する。この信号は、装置＃１のＩＤ番号を含んでおり、１人以上のユーザーのＲＦＩＤとコンタクトする。
（３）コンタクトされた各ＲＦＩＤタグは、信号をより低いＲＦ周波数に変換し同じ情報をそのユーザーの装置ＩＤ番号に宛てて送信する。信号は２．３フィート（例えば、対象の人の襟に付いているＲＦＩＤタグからその人のポケット内の装置まで）飛べばよいので、低パワーの通信で充分である。
（４）送信を受け取ると、受信した装置は受信者の装置の装置ＩＤ番号および受信者の確認画像を含んだ送信を、装置＃１の装置ＩＤ番号宛に行う。
（５）装置＃１は、全てのコンタクトした装置の確認画像を各一個受信して表示する。ユーザー＃１は彼女がコンタクトを意図したユーザー、すなわちユーザー＃２の画像を選択し、したがって装置＃２の装置ＩＤ番号およびネットワークアドレスを選択する。
（６）装置＃１は装置＃２に宛てた通信を開始する。送信の手段は直接（もし２つの装置が同じ一般の近隣にあるときは、装置から装置）または間接に（ネットワークを介して装置＃２のネットワークアドレスに）行うことが出来る。
【０１３７】
方法＃７：サーバー管理による画像識別
この方法は方法＃１と同様であるが、例外として近傍のユーザーの画像がその近傍の装置自身から送信されるのではなく、同じく装置同士の交信を仲介する中央サーバーから送られる。このアプリケーションの中央サーバーは、全てのユーザーのアドレス、装置ＩＤ番号、顔画像を含むデータベースと共にその位置情報にアクセスを有する。要請に応じて、サーバーは最も近い画像を、要請している装置に送ることが出来る。この方法は以下のステップを含む：
【０１３８】
（１）ユーザー＃１は交信したいと思う誰か、すなわちユーザー＃２を見つけ、彼女は自分の装置（装置＃１）にそのインターフェースを使って（例えば、ボタンを押して）中央サーバーとコンタクトするよう指示し、現在彼女の近くに居る他のユーザーの画像を要求する。
（２）ユーザー＃１の装置（装置＃１）は次に要求をサーバーに送る。その送信には装置ユーザー＃１の装置ＩＤ番号、ネットワークアドレス、および画像を装置＃１に送れという要請を含んでいる。
（３）サーバーは必要な位置情報を引き出してどのユーザーがユーザー＃１の視認距離に居るのかを決定する。次にサーバーはそれらの他のユーザーの画像を、関連する装置ＩＤ番号と共に装置＃１に送信する。
（４）ユーザー＃１は受信した画像を確かめユーザー＃２の画像を選択し、それによって装置＃２のＩＤ番号を選択する。
（５）装置＃１は、装置＃２の装置ＩＤ番号を指定して、中央サーバーを介して装置＃２に宛てた通信を開始する。
【０１３９】
方法＃８：位置の特定と場所のマッピング
この方法では、各ユーザーの装置は自身の位置座標を周期的（少なくとも１秒に１回が望ましい）に決定し、周期的（少なくとも１秒に１回が望ましい）にその座標を、その装置の装置ＩＤ番号と共に、近隣でそのアプリケーションを一緒に使っている他の装置に向けて発信する。（中央集約的なシステムにとって、全ての装置の場所を追跡して各装置の近くにある全ての装置の場所、装置ＩＤ番号、およびネットワークアドレスを、その情報を周期的に更新しつつ全ての装置に向けて送信することは、受け入れ可能な解決法である。）装置が全ての近傍の装置の、定期的にアップデートされる位置情報を得ることは、ユーザーの動きを考慮に入れるためには必要なことである。場所の座標は地球規模で正確である必要は無く、その地域で正確な座標であれば充分である。各装置はしたがって、近くの全ての装置の位置、つまりその装置の装置ＩＤ番号と位置座標の両方を知っている。そこで、装置は、近隣に居る他のすべてのユーザーの各ユーザーを小さな記号で表わした自動更新の二次元マップを表示するのに必要な情報を持っている。装置ＩＤ番号とネットワークアドレスは各々の記号と関連付けられており、特別の人に宛てて送信するためにはその人に関係した記号を選択するだけで良い。
【０１４０】
興味のある人にコンタクトするために、ユーザー＃１は最初に彼女の装置でマップを検討してマップ上の記号の配置と彼女の目の前の人々の配置を比較する。次に彼女は、意図する受信者に対応すると信じるマップ上の記号を選択する。彼女の装置（装置＃１）は、装置＃１の装置ＩＤ番号、ネットワークアドレス、および＃２の確認用画像の要求を含む送信をユーザー＃２の装置ＩＤ番号宛に行う。次に、装置＃２はユーザー＃２の画像を装置＃１に送る。ユーザー＃１は、次にその画像を彼女がコンタクトしたい人の実際の外観と比較する。もし彼女が、正しい人にコンタクトしたことを確認したら、彼女は自分の装置にそのユーザーインターフェースを介してユーザー＃２との交信を開始するよう指令する。もし、逆にユーザーユーザー＃１が受信した確認画像がユーザー＃１がコンタクトしたい人に対応しないときは、ユーザー＃１は彼女がコンタクトしたい人を多分代表しているであろう他の記号を選択する。
【０１４１】
［この方法の代替版では、その付近で知覚的アプローチ機能を使用しているユーザーが居ない間は位置情報の定期的な更新を要求しない。その代わり、一人のユーザーが彼または彼女の装置のユーザーインターフェースを通じて開始されたとき（例えば、ボタンを押して）、同じプロセスが動作する。開始されると、装置＃１は自分の位置を特定し（続く数分の間定期的に）近くの他の装置の位置とアドレスを要請する発信を行う。この要請を受け取ると、各装置は自分の位置を特定し（続く数分の間定期的に）自分の位置とアドレスを発信する。この代替版の残りの部分は元の方法と同じである。この代替版の有利な点は、装置が必要なく使用されないときに位置の判定や放送相手位置の判定をしない装置のエネルギーおよび帯域の節約である。この方法の不都合な点は、ユーザー＃１が位置決定の処理を始めてから全てのユーザーの位置が彼女の装置上に表示されるまでの間僅かに遅れがあることである。
さらに他の代替版は、上記代替版を以下の変更を行って継承する：全ての装置は、中央サーバーからネットワークを介して、定期的な時間放送によって時間の同期を１秒の正確さで維持する。全ての装置は常に（少なくとも１秒に１回）その位置を更新し、各時点でどの位置に居たかを記録する。このデータは、ある追跡時間間隔、例えば１０秒間隔で格納される。次に、ある装置が他の装置に位置とネットワークアドレスを要求するときに、その要求は、位置情報が必要な正確な時間を特定する。この第２の代替法を使えば、装置は位置情報の要求があったときにのみその位置を送信し、また、位置の要求のあった時と各装置がその位置を評価するときの間の、各ユーザーの潜在的な動きによって引き起こされる位置情報の不正確さが無い。］
【０１４２】
この方法の有利な点は、（ａ）ユーザーが、彼または彼女の装置を他の人に狙いをつけることで注意を自分にひきつけることを要しない。（ｂ）一度に正確に１人だけを狙うことができる。（ｃ）“視覚空間ライン”の関係を作ることに依存しない。（ｄ）対象の人が同じ通常の近所に居る、ということ意外は距離の限定が無い。この方法は以下のステップを含む。
【０１４３】
（１）全ての装置は、定期的に（少なくとも１秒に１回が推奨される）その自身の位置座標を決定し、その座標をその装置ＩＤ番号と共に他の近傍にある装置に発信する。
（２）ユーザー＃１の装置（装置＃１）は、その近所にある他のすべての装置から頻繁に更新される位置情報を受け取る。
（３）ユーザー＃１は、彼女が更新したいと思う誰か、すなわちユーザー＃２を見つける。
（４）ユーザー＃１は彼女の装置にそのユーザーインターフェースを介して（例えば、ボタンを押して）自分の装置に、自身のごく近傍の全ての他の装置の位置の２次元マップを表示するよう指示する。他の装置の各々が小さな記号でディスプレー上に表示される（潜在的可能性としては、その記号は有効な識別内容、例えばユーザーの性や、そのユーザーが同じ“アプリケーション”例えば“デート約束”とか“業務上のネットワーク作り”などに参加しているかどうか、を表示する。）
（５）ユーザーは、彼女の装置のディスプレー上で、彼女がユーザー＃２に対応すると信じる記号を選択し、それによってユーザー＃２の装置（装置＃２）の装置ＩＤ番号を選択する。もしユーザーがその装置を“確認モード”で操作していないときは、その時点でユーザー＃２と宛先通信が開始され、それには、ユーザー＃１の画像、装置＃１の装置ＩＤ番号、装置＃１のネットワークアドレスの送信を含んでいる。
（６）もしユーザー＃１が彼女の装置を“交信モード”で操作したいときは、装置＃１はその目標の装置に向けて、自分の装置ＩＤ番号、ネットワークアドレス、および相手のユーザーの確認画像の要求を含む送信を行う。
（７）装置＃２は自身の装置ＩＤ番号、ネットワークアドレス、およびユーザー＃２の画像を含む通信を装置＃１に向けて送信する。
（８）ユーザー＃１はユーザー＃２の画像を自分のディスプレー上で見て、それが彼女がコンタクトを意図した人であることを確認する。
（９）もし、受信した画像が彼女がコンタクトを意図した人に対応するときは、彼女は自分の装置に（例えば、“送信”ボタンを押すなどして）対象の装置に宛先通信を開始する。装置＃１はまた、装置＃２に、ユーザー＃１の画像、装置＃１の装置ＩＤ番号、装置＃１のネットワークアドレスを送る。
（１０）もし、装置＃２から受信した確認画像が目標の人に対応していなかったときは、ユーザー＃１は目標の個人に潜在的に属する可能性のある違う記号を選択するという選択肢がある。もし、目標の個人に対応する記号が無かったときは、その個人は同じアプリケーションを共有する装置を持っていないか、装置が壊れているか、またはその装置は“不可視モード”になっており、交信を全く受け付けないか、またはその特別の送り主からの交信を許容しないかである。
【０１４４】
方法＃９：仮想的光束当て
この方法は、方法＃６と同様であるが、コンタクトすべき装置を選択する、異なったユーザーインターフェース“仮想的光束当て”を使う。方法＃８の場所指定技術の採用に加えて（ただし追加の機能として、位置決めシステムで戻された位置座標に絶対方向が組み入れられる−例えば、２つの位置座標が与えられたときに、どちらがより北に位置し、どちらがより西に位置するかを判定することが可能である）例えば、デジタルのフラックスゲートコンパスおよび／またはジャイロスコープコンパスのような、方位技術を組み入れる。ユーザーが、彼女のディスプレー上で、彼女がその人に対応すると思う記号を選択して興味の相手に狙いを定める代わりに、彼女の装置を彼のほうに向けて、彼女の装置に、そのユーザーインターフェースを通じて（例えば、ボタンを押して）その人にコンタクトするよう指令する。
【０１４５】
すでに述べた位置決め技術と組み合わせて、装置に方位技術を組み込むと、どの対象個人が、彼女がその装置を向けている方向でユーザーの位置から延長する狭い幅の中に居るのか（２または３次元内で、位置情報の複雑さ加減に依存するが）が、単純な幾何学で判る。ユーザー＃１の装置（装置＃１）は、すでに彼女自身の位置の情報、および近くにある全ての装置のＩＤ番号および位置情報を受信している。彼女が興味の相手を目標としたときにユーザー＃１の装置が向いている方向は“ターゲットベクトル”として表わされ、それはユーザー＃１の位置からスタートして彼女の装置内で方位技術によって決められる方向に延びている。３次元方向の位置情報は、狙いの量としては、４つのベクトルの間の量として決定され、そのすべてのベクトルはユーザー＃１の位置から延びる−２つは水平面にあり、２つは垂直面内にある。水平面内で、１つのベクトルがターゲットベクトルに対しＸ度だけ反時計方向に位置し、他のベクトルはターゲットベクトルに対してＸ度時計方向に位置する。ここでＸは小さな値（５度が推奨される）で、ユーザーによって調製可能である。垂直平面内で一方のベクトルはターゲットベクトルに対しＸ度だけ上方に延び、他のベクトルはターゲットベクトルに対してＸ度下に延びている。
【０１４６】
ユーザー＃１が彼女の装置を狙って“ボタンを押す”と、装置＃１は目標範囲（または量）内の全ての他のユーザーに向けて宛先通信を開始する。その送信には、装置＃１の装置ＩＤ番号、ネットワークアドレス、および受信者の確認画像を要請する内容が含まれている。確認画像を受信すると、ユーザーは彼女が興味を抱いた人の画像（かつ、対応する装置ＩＤ番号およびネットワークアドレス）を選択する。それ以後の通信は選択された装置のみに宛てられる。
【０１４７】
この方法の利点は、ユーザーは、彼女が興味を持った人と対応する記号の正しい対応を取るために、彼女の装置上でマップを読む必要がないことである。このことは目標の個人が移動しているときには特に価値があることである。他の利点は、狙いを定めるときにユーザーと対象の人との間の障害物は問題にならないことである。ユーザーは、ある個人に狙いを定めるときにも装置をコートのポケット、あるいはバッグの中に持っていても良い。方法＃８に比べて唯一の不都合は、最初の確認画像の要請が多分１つ以上のターゲット装置に対してなされるということである。
【０１４８】
この方法は次のステップを含む：
（１）全ての装置は、定期的に（少なくとも１秒に１回が推奨される）その自身の位置座標を決定し、その座標をその装置ＩＤ番号と共に他の近傍にある装置に発信する。
（２）ユーザー＃１の装置（装置＃１）は、その近所にある他のすべての装置から頻繁に更新される位置情報を受け取る。
（３）ユーザー＃１は、彼女が更新したいと思う誰か、すなわちユーザー＃２を見つける。彼女は自分の装置（装置＃１）をユーザー＃２に向ける。ユーザー＃１は自分の装置（装置＃１）に、そのインターフェースを使って（例えば、ボタンを押して）ユーザー＃２の方向にある全ての他の装置とコンタクトし、それらのユーザーの画像を得るよう指示する。
（４）ユーザー＃１の装置（装置＃１）は、上記で決定されたターゲット領域内の全ての装置に宛てて送信する。その送信には、装置＃１の装置ＩＤ番号、ネットワークアドレス、および確認画像を装置＃１に送ってほしいという要請を含んでいる。
（５）送信を受け取った各装置は、受信者の装置の装置ＩＤ番号、ネットワークアドレスおよびそのユーザーの確認画像を含んだ通信を、装置＃１宛に応信する。
（６）装置＃１は、ターゲット範囲内の全てのユーザーから確認画像を受信する。
（７）受信した確認画像の中から、ユーザー＃１はユーザー＃２に対応する画像を選択し、それによってユーザー＃２の装置、装置＃２の装置ＩＤ番号およびネットワークアドレスを選択する。
（８）装置＃１は、装置＃２と宛先通信を開始し、ユーザー＃１の画像を送る。送信の手段は直接（もし２つの装置が同じ一般の近隣にあるときは、装置から装置）または間接に（ネットワークを介して装置＃２のネットワークアドレスに）行うことが出来る。
【０１４９】
方法＃１０：位置を使ったアプローチ
この方法では、ユーザー＃１は彼女がメッセージを送りたい相手、ユーザー＃２を見つけ、彼女の装置、装置＃２を使って、彼女の位置からのユーザー＃２の居る正確な距離と方向を決定する。このことは、装置＃１に組み込むどんな方位計および距離測定機能によっても実現できる。次に、装置＃１は、中央サーバーにメッセージを送り、彼女の位置から相対的に特定の位置にある、どんな装置であれそれにメッセージを送るよう指示する。中央サーバーは、すべてのユーザーの絶対位置にアクセスし、指示された絶対位置を、装置＃１の絶対位置に提供された相対位置を加算することによって容易に計算できる。中央サーバーは次に、どのユーザーが計算された位置に最も近いかを判定し、そのユーザーに宛ててメッセージを送る。
【０１５０】
方法＃１１：外観の生物測定学的アプローチ
この方法は、一般的に目標とする人のある観点からの写真を撮ることを含み、特別な生物測定学的なプロフィールを作ってそのプロフィールとアドレスを関連付けておく。画像の分析は（１）ユーザーの装置、又は（２）中央サーバーのどちらかで行われる。最初のケースでは、ユーザーの装置がメッセージと生物測定学的プロフィールを中央サーバーに送り、メッセージがその生物測定学的プロフィールと関連付けられたユーザーに送られるようにする。
【０１５１】
この方法に適用可能ないくつかの種類の生物測定学的プロフィールがある：例えば、顔認識、外耳認識、網膜パターンなどである。生物測定学的プロフィールの各々の種類はユーザーの装置に一体化するにはその目的のための特別なカメラを必要とする。しかしながら、本発明は、どの種類の生物測定学的分析が特に用いられるかについては、それが現状ある生物測定学的技術であるか将来のものであるかにせよ、判らない。メッセージを開くために可視的に得られる生物測定学的“サイン”を用いる方法も同様である。
【０１５２】
上記全ての種類において、ユーザーはユーザーの装置を目標の人に狙いを定めて写真を撮ることで意図する対象の人を選択する。
【０１５３】
方法＃１２：聴覚の生物測定学的アプローチ
この方法は、特定の人を狙う手段として、および目標の人のアドレスを判定する手段として人々の独特の声の特性を使用することを含む。始めに、声のサンプルを集める必要がある。これは、ユーザーが意図する対象の人の近くに行って、その人が話しているときに声を記録して行う。音の記録と編集の機能は小さな装置に容易に組み込むことが出来、すでに存在する技術である。あるいは、ユーザーの装置に一体化した指向性マイクが目標の人に向けられ、彼らの話を記録することもできる。（目の不自由な人にとっては、目標の人にそっと近づくよりはマイクで狙うほうが容易であろう）
【０１５４】
声のサンプルが集まった後、それはユーザーの装置または中央サーバーで分析される。もし、ユーザーの装置で分析が行われたときは、生物測定学的プロフィールとともにメッセージがサーバーに送られ、そこで生物測定学的プロフィールがデータベースでアドレスと関連付けられ、メッセージが目標の人に送られる。もし、声のサンプルがサーバーで分析されたときは、ユーザーの装置は声のサンプルそのものと共にメッセージをサーバーに送る。サーバーは次に声のサンプルを生物測定学的プロフィールに変換し、そのプロフィールをアドレスと関連付けてメッセージをそのアドレスに送る。
【０１５５】
方法＃１３：可視的な英数文字列を使ったアプローチ
よく見えるように、しかも人々と明らかに関連して表示される英数文字列はスポーツのジャージーとライセンスプレートである。この方法を使って、英数文字列が中央サーバー（この場合、ユーザーの装置はメッセージを英数文字列宛てとし、メッセージをサーバーに送る）またはユーザーの装置（この場合、ユーザーは目標の人のアドレスに直接メッセージを送る能力を持っている）を使ってアドレスと関連付けされる。
【０１５６】
ユーザーが目標の人を選択する２つの独特の方法がある：（ａ）ユーザーはその英数文字列を彼女の装置にコピーする、または（ｂ）ユーザーは、彼女の装置のカメラで、その英数文字列の写真を取る。後者の場合、その英数文字列を判定するのに光学的文字認識（ＯＣＲ）が画像に適用される必要がある。ＯＣＲはユーザーの装置上か、中央サーバー上で行われる。もしユーザーの装置上で行われる場合には、文字列をアドレスと関連付ける上記の全てのオプションは使用可能である。しかし、もしＯＣＲが中央サーバーで行われるときは、メッセージが目標の人に届けられる為に、装置はメッセージをその英数文字列の写真と共にサーバーに送らなくてはならない。
【０１５７】
方法＃１４および＃１５：画像マッピング用データ
目標の人を選択するためマクロな画像を含む上記いくつかの方法と違って、方法１４および１５は、ユーザーの装置が中央サーバーもしくは他のユーザーの装置から他のユーザーの画像を送ってもらうことに依存しない。その代わり、必要とする他のユーザーのいかなる画像をも生成するのはユーザー自身の装置である。加えて、それら以前の方法と対照的に、方法１４および１５でユーザー自身の装置で生成される各画像は、１人以上を含むことができる。以下にこの方法を使ったユーザーの経験を述べる。その後、より技術的な詳細を述べる。
【０１５８】
この方法を用いるには、彼女が交信したと思う相手に彼女の装置のカメラを向ける（図１参照）。彼女は自分の装置に、静止画を撮るか、生の動画を取るかを指示する（例えば、ボタンを押すなどで）。カメラはユーザーの視点からの人（または人々）画像を生成する。ユーザーは、彼女の装置のディスプレー上で静止画または生の動画像を見る。各人（その人がこのアプリケーションのユーザーでさえあれば）の画像に、例えば円のような小さなグラフィックな模様が重ねられる、それは、その人の装置の場所を表わす。ユーザーは彼女が交信したい相手の画像に重ねられた円をスタイラスを使って突っつき、その人を選択する。（他のユーザーのインターフェースはこの発明と共用であり、例えば、彼女の装置のダイアルを回して円から円へと切り替えることで所望の円を選択できる）。各円は、その円の下に画像があるユーザーに属する装置の装置ＩＤ番号、およびネットワークアドレスと関連付けられている。次に、ユーザーの装置は選択されたユーザーの装置と交信を開始する−つまり、通常のメッセージまたは別個の独立したメッセージを送るとか、例えば簡易メッセージセッション、電話、またはビデオ電話などの他の通信形態で開始する。
【０１５９】
この操作を完成させるためには、対象とする人の装置の装置ＩＤ番号および／またはネットワークアドレスと、ユーザーの装置のディスプレーに表現されているその人の画像との関連付けが可能でなければならない。この機能を成し遂げるための２つの代替技術がある：（１）画像上に位置データをマッピングする、および（２）同じ画像センサーの上に目標とする人からの放射光と、目標とする人の装置からの、データを含んだ放射光の両方を集光する（あるいは、２つの異なった画像センサーを有し、各センサーで捕捉したデータを重ね合わせる）。
【０１６０】
方法＃１４：画像マッピング用データ−画像上に位置データをマッピング
データ（例えば、装置ＩＤ番号およびネットワークアドレス）にリンクされたグラフィック模様（例えば、円）と、画像の特別な場所（例えば、目標の人の似顔）との関連付ける方法は、他の人の装置から受け取った位置データをそのユーザーの装置のディスプレー上にマッピングすることで行われる。
【０１６１】
３次元空間に存在する対象物をユーザーの装置の２次元のディスプレーにマッピングするプロセスは以下の要素を必要とする：（ａ）ユーザーの装置の位置（ｂ）目標とする装置の位置（ｃ）ユーザーの装置の向き（ｄ）その装置のカメラレンズの焦点距離（ｅ）カメラの画像センサーのサイズ（ｆ）センサーのピクセル密度。最後の３つの要素（ｄ，ｅおよびｆ）は、ユーザーのカメラの属性であり固定の数値でもある。あるいは、少なくとも、レンズの焦点距離の場合はカメラから容易に引き出せる、簡単にわかる数値である。
【０１６２】
位置データ、すなわち要素（ａ）と（ｂ）を得るには、（１）少なくともその辺りでは正確である位置座標による、各装置の正確な位置を決定するため、と（２）全ての装置に充分正確（殆どの場所に対して１／１０秒程度の正確さが推奨される）な時間の同期（少なくともその辺りでは）を与えるための基本的設備が必要とされる。時間の同期は、ユーザーもしくは目標の人の移動を考慮に入れるために必要である。もし、各装置の位置履歴が約５秒の追跡時間の間（または、管理可能なメモリー量だけが必要とされるくらい短く、しかもその時間内にすべての装置が情報の要求に対して応答することが出来るくらい長い、似たような時間）に記憶されれば、画像を取った瞬間の全てのユーザーの位置が決定されるであろう。
【０１６３】
各装置が自身の位置データを記憶するか、またはその代わりに、全てのその辺りの装置の位置が単一の第３者のサーバーに記憶される。もし、ユーザーが静止画像を取ってある人に目標を定めるとすると、ユーザーが写真を撮るためにボタンを押したときに、彼の装置は、直前の５秒以内（あるいは他の予め決めた追跡間隔）の特定の瞬間の他の装置の位置座標を送ってくれという他の装置に対する要請と共に、自身の装置ＩＤ番号とネットワークアドレスを周りに発信する（特定のドメイン内の他の装置に向けて。“特定のドメイン”とは、さまざまな方法のうちのいずれかの１つに定義される。例えば、（ａ）その発信を受信した全てのユーザー（ｂ）そのユーザーから特定の四分円以内の位置座標を有する全てのユーザー、等）。潜在的なターゲットの装置がこの発信された要請を受け取ると、それらはその要請装置のネットワークアドレスに向けて応答し、（ａ）彼らの装置ＩＤ番号、（ｂ）彼らのネットワークアドレス、（ｃ）要請の中で指定された時刻の位置座標、を送る。あるいは、もし位置データが第３者のサーバーに記憶されているならば、ユーザーが写真を撮ったときに、位置情報の要求は代わりに第３者のサーバーに向けられる。すると、サーバーは要求された適格な装置の位置情報を、関連する装置ＩＤ番号およびネットワークアドレスとともに提供する。位置決定や時間の同期の機能を果たす技術は現在存在し、それらが必要な情報を提供する限りは、どの位置決定および時間同期技術を用いるかは無関係である。
【０１６４】
加えて、この技術は、各装置が３次元空間内でその方向を正確に判定できる能力、要素（ｄ）を必要とする。特に、必要とされる情報は装置のカメラの方向である−水平方向（水平面に投影されたときの方向）、垂直方向（水平からその方向が変位している程度）、および“回転”（装置のカメラが狙っている方向で決まる軸に対して装置が回転している程度）。装置がその方向を判定する技術は現在存在し、それが必要とする結果を出してくれる限りはどの技術を使うかは無関係である。要求されるアウトプットの一つの充分な形態は、カメラの方向を３つの角度、（φ、θ、ψ）で表わす。ここでφは水平平面内で、ある基準方向から左に回転している程度、θはカメラが水平から上下に傾いている程度、ψはカメラが狙っている方向で決まる軸の周りに時計方向に回転している程度である。
【０１６５】
以下は、どのようにして目標の人の装置の位置がユーザーの装置のディスプレー上にマッピングされるかの説明である。
【０１６６】
図１１は、ｘ、ｙ，ｚ座標で表わされる３次元空間内に２人のユーザーが居るところを示し、ｚ次元は垂直方向を表わし、ｘ、ｙ座標は水平面におけるユーザーの位置を示している。装置＃１および装置＃２は、座標（ｘ１，ｙ１，ｚ１）および（ｘ２，ｙ２，ｚ２）で各々表わされる。（より正確には、位置座標は各装置の画像センサーの位置を表わす）。ユーザー＃１は、彼または彼女のの装置をユーザー＃２の大体の方向に向け、ある特定の時刻ｔに写真を撮る。同時に彼の装置は自分の装置ＩＤ番号、ネットワークアドレス、および近くの装置に、時刻ｔにおける彼らの位置座標、を彼らの装置ＩＤ番号およびネットワークアドレスと共に送ってくれることの要請を周りに発信する。ユーザー＃２の装置（ユーザー＃２のバッグ内にある装置＃２）はその要請に応えて、要求された位置座標（ｘ２，ｙ２，ｚ２）、装置ＩＤ番号、およびネットワークアドレスを装置＃１に送る。
【０１６７】
装置＃１がそのディスプレー上で、ユーザー＃２の画像に装置＃２の位置を重ね表示するには、（装置＃２の位置座標に加えて）自身の座標（ｘ１，ｙ１，ｚ１）と空間内でのカメラの向き（φ、θ、ψ）を持っている必要がある。これらの値はそれぞれ採用される位置測定システムおよび装置の方向測定システムによってもたらされる。
【０１６８】
図１２は、同じ２人のユーザーが水平面上に投影され、上の視点から表現された図である。カメラが水平面内で狙っている方向は、ベクトルで示されており、ｘ軸のプラス方向から反時計回りにφ度だけ傾いている。図１３において、ｚ軸は垂直の次元を示し、水平軸は装置＃１から装置＃２に向いたベクトルがｘ−ｙ平面上に投影されたベクトルを表わしている。カメラの向きが水平からずれている程度は角度θで表わされる。図１４は、装置＃１のディスプレーを示している。カメラはカメラが狙っている方向で決まる軸の周りに時計方向にψ度回転していた。これによって、ディスプレー内の画像は反時計方向にψ度だけ回転している。
【０１６９】
図１４における装置のディスプレー内にはユーザー＃２の画像と共に                  ユーザー＃２の装置の位置を示す円が示されている。ディスプレー内の円の位置を特定する位置座標ｘｐ、ｙｐ（ディスプレー中心からピクセル単位で与えられる）は、以下のように決定される。
【０１７０】
【数１】
2007525910.tif 000007
および
【０１７１】
【数２】
2007525910.tif 000008
ここで、
ＰＨ=  画像センサーの全水平ピクセル数
ＰＶ=  画像センサーの全縦方向ピクセル数
Ｓｘ=  画像センサーの幅
Ｓｙ=  画像センサーの高さ
ｆ  =  カメラレンズの焦点距離
また、
【０１７２】
【数３】
2007525910.tif 000009
ここで、
x0  =  x2 - x1
y0  =  y2 - y1
z0  =  z2 - z1
【０１７３】
３次元でなく２次元位置分析を使う、この技術の簡易版も可能である。この簡易版では、ユーザーの装置は他のユーザーの装置の上下の情報は持たない。それは水平面内での位置だけが判る。したがって、もし他のユーザーの装置が目視可能で、ユーザーのディスプレー上でその装置が表示される箇所に相当するポイントに、幾何学的な形状が表示される代わりに、同じそのポイントを横切る狭い縦の棒がディスプレー上に表れる。このシステムは他の点は同じである。複雑さが簡単なのでコストも殆どかからない。唯一２次元システムを困惑させるのは、ユーザー側から見て２人の潜在的目標の人が同じ方向に居て、かつ一人が他の一人の真上または真下に居る場合である。
【０１７４】
方法＃１５：画像マッピング用データ――データ信号を画像センサー上にフォーカスする
この方法は、方法＃１４と同様であるが、データ（例えば、装置ＩＤ番号およびネットワークアドレス）にリンクされたグラフィック模様（例えば、円）と、画像の特別な場所（例えば、目標の人の似顔）との関連付けるのに異なった技術を用いる。ここで使用する技術は、各装置は指向性のある、固体の対象物（例えば、衣服）をある程度透過することができる信号（最良の周波数はギガヘルツ帯から近赤外の帯域）を周囲に発信する。カメラレンズはこのデータ搬送光を可視光周波数光と一緒に同じ画像センサー上にフォーカスする。［今論じている範囲内で、光放射波と他の周波数に対して同じ屈折率を持つレンズ材質はいくつかある］光放射波に感度のある画像センサーの素材に、データ搬送波に感度のある他の素材が混ぜられる。この他の素材はデータを受信、解読して各信号を、それが受け取られたセンサー上の位置に添付することが出来る。
【０１７５】
入力される近赤外波から形状を決定することが重要ではなく、単に、より低い解像で良いので、位置が重要であって、したがってこのデータ搬送波長に感度のある素材のピクセル濃度は低くて良い。しかし、画像センサー内の個々のこれらの素材は、センサー上に表示されデータを送信しているのは一つ以上の装置かもしれないので、独立したデータ束を受光し分別することができることを求められる。各データ束は指標付けされ、データを受け取ったピクセル番号と共に記憶される。送信されるべきデータは非常に小さい―１つの装置ＩＤまたはネットワークアドレス―ので、信号の始まりから終わりまでは短か過ぎて、大きなピクセル間の“ボケ”は生じない。
【０１７６】
この方法の変形としては、光波とデータ搬送波を２つの別々なセンサーにフォーカスする。この変形例を利用するには、各々のセンサーの相対位置を関連付けておくことが必要で、データセンサーのいずれのピクセルもが画像センサーの対応位置に計算されなければならない。このようにして、画像上に幾何学的な形状が重ね表示される。
【０１７７】
方法＃１６
この方法は、方法＃１と同様であるが１つだけ重要な違いがある：ユーザーの装置（装置＃１）が、認知近距離にある他のユーザーの画像を彼らの装置から受信する代わりに、他のユーザーからは装置ＩＤ番号およびネットワークアドレスだけを受信する。他のユーザーの画像はデータ処理システムから受け取る。
【０１７８】
この方法には、２つの主な変形例がある。最初の変形例では、装置＃１は、認知近距離にある全ての装置に届くような信号強度で、装置ＩＤ番号およびネットワークアドレスを求める通信を発する。もしこの要請の中に装置＃１の装置ＩＤ番号および／またはネットワークアドレスを含んでいれば、この要請を受信した装置は、装置＃１に宛てた要請情報を送るか、あるいは、装置は単に要請情報を周囲に返信する。
【０１７９】
第２の変形例では、全ての装置が定常的に、間欠的に（例えば、１秒間に１回）その装置ＩＤ番号および／またはネットワークアドレスを、認知近距離にある全ての装置に届くような信号強度で周囲に発信する。装置＃１は、認知近距離にある装置の装置ＩＤ番号および／またはネットワークアドレスを単に“聴く”だけで得られる。
【０１８０】
装置＃１によって得られた装置ＩＤ番号および／またはネットワークアドレスは、各々関連するユーザーの画像を求める要請と共にデータ処理システムに送られる。データ処理システムは、装置＃１に要請された画像を、各々の装置ＩＤ番号および／またはネットワークアドレスと共に送信する。装置＃１のユーザー（ユーザー＃１）は、受け取った画像を見て、意図した相手（ユーザー＃２）に対応する画像を選択する、したがって、装置＃２の装置ＩＤ番号および／またはネットワークアドレスを選択する。
【０１８１】
次に、装置＃１は装置＃２と宛先通信を開始する。送信の手段は直接（もし２つの装置が同じ一般の近隣にあるときは、装置から装置）または間接に（ネットワークを介して装置＃２のネットワークアドレスに）行うことが出来る。通信はデータ処理システムによって仲介されても、されなくても良い。
【０１８２】
方法＃１７
この方法は、大体は方法＃１６と方法＃５の組み合わせである。この方法が方法＃１６と異なるのは、ユーザーの装置（装置＃１）は他の装置の装置ＩＤおよびネットワークアドレスを得るのは、ユーザー（ユーザー＃１）の“認知近傍”内の他の装置であることである。この方法では、ＩＤ／アドレスは他のユーザーの装置を表わしているＲＦＩＤタグ（能動的であれ受動的であれ）から得られ、そのタグはそれが代表する装置内に物理的に組み込んであっても無くても良い。他の装置のＩＤとネットワークアドレスを得るためには、装置＃１はユーザー＃１の認知近傍内の全てのＲＦＩＤタグに、問い合わせる無指向性の信号を送る。この問い合わせに応えて、全てのＲＦＩＤタグはそれが代表している装置の装置ＩＤおよび／またはネットワークアドレスを送信（周囲に発信）する。装置＃１は、こうして認知近傍内の全ての装置の装置ＩＤおよび／またはネットワークアドレスを搬送するＲＦＩＤ送信波を受信する。この時点から、方法＃１７は、方法＃１６と同じになる。
【０１８３】
IV．メッセージシステム
このシステムの１つの目的は、他の個人に関して何の接触情報も分らないにもかかわらず、ユーザーがその直近環境に居る他のユーザーと電子的に交信可能にさせることである。このシステムの第２の目的は、ユーザーが他のユーザーへの興味を表明しながら、一方では同時に（ａ）拒絶のリスクを最小限にし、（ｂ）望まない前進を最小限にすることを可能にする、個別メッセージのやりとりの強力なツールを提供することである。個別メッセージのやりとりは、最初の会話や人的関係を構築する基礎を提供するためにも助けとなる。
【０１８４】
電子的、無条件のメッセージのやりとり
何の条件も付けずにある装置から他の装置へメッセージを送るという手段が用意される。メッセージは、上記に概説した方法を使って特定の個人に送られる。意図する受信者の装置がそのメッセージを受け取ったときに、受信側の装置は送信側の装置に、送ったメッセージが正しく届けられたことをユーザーに保証する確認信号を送る。メッセージが届けられない理由は：受信者の装置のスイッチが入っていない；ユーザーの装置またはいかなるネットワークの範囲の物理的外にいる；受信者がＤＭでないメッセージを拒絶することを選択している；または、受信者が、特定の送り主が受信者にメッセージを送ることをブロックしている、などである。もし意図する受信者が直接の通信範囲外に居るときは、メッセージはインターネットを介して送られる。
【０１８５】
メッセージの内容は、いくつかの“パッケージされている”文字、音、画像、または動画メッセージの中の一つでもよい、例えば、“会いたい”などである。あるいは、ユーザーによって創作され必要に応じて使用される、文字、音、画像または動画などの特別仕様のメッセージでも良い。あるいは、各々の場面、各受信者のために新たにメッセージを作っても良い。自前のメッセージを創作するには、ユーザーは今日存在する、またはこれから創造されるいかなる方法を使ってでも装置にメッセージ内容を入力する。例えば、装置のディスプレー上に書き込むとＰａｌｍシステムのようなシステムの手入力認識システムが入力をデジタル化する；装置のマイクに向かって話をするとシステムが音の入力を音としてデジタル化し、またはそれを書き物の形態に変換する；または、装置のカメラを使って動画の１つ以上のフレームを記録する；あるいは、これらの組み合わせ、などである。
【０１８６】
メッセージに宛先を与えることは、ユーザーの立場からは、“知覚的アプローチ”の章の中で概説した方法の一つを使用することを含んでいる。ユーザーが正しい受信者の確認のために１人以上の他のユーザーの確認画像を見せられた時には、ユーザーは単に選択画像を選択し（例えば、指し棒で画像を突っつくなど選択に有効ないかなる方法を用いて）、装置にメッセージを送るよう指示する（例えば、“ＤＭ以外を送れ”と表示したボタンを押すことによって）。メッセージは、その装置に対する近さ加減によって、直接に、またはネットワークを介して相手の装置に送られる。
【０１８７】
個別メッセージのやりとり
通常のメッセージのやり取りと違って、個別メッセージ（ＤＭ）の受信者は、受信者がある必要な条件を満たさない限り受け取ったメッセージを読むことを許可されない、また（この特別なＤＭ版では）、メッセージを受信したという何の指標も得られない。
【０１８８】
（他のＤＭの実施態様では、追加の、“認知レベル”と呼ばれるユーザー可変変数を含み、上記と対照的に、受信者が単にＤＭを受信したという事実以上のことを知ることができるような選択肢を送信者が持つことが出来る。送信者は、その知らせの中にどの追加情報片を含ませるか選択できる。例えば、送信者は、ＤＭを受信したという知らせの中に次のような１つ以上の情報片を含ませるよう選択できる：（ａ）ＤＭを受信した日付と時間、（ｂ）ＤＭが送られたときの送信者の位置（ｃ）送信者と共通の友人または知人（ｄ）送信者のファーストネーム、または（ｅ）ＤＭによって起こる不測事態の対象とはならない、送信者によって書かれた自前のメッセージ。）
【０１８９】
個別メッセージのやりとりは、２つの方法のうちどちらかで実現できる：（１）第３者のサーバーを用いてユーザーの装置間の情報の通信を仲介する、または（２）情報のユーザーへの開示仲介において、他のユーザーの装置に関連付けられた各ユーザーの装置が“信頼ある第３者”として動作するピアツーピアによる解決。どちらの方法が用いられるにせよ、個別メッセージのやりとりの論理は同じで、次のように記述される。
【０１９０】
必要な条件
個別メッセージのやりとりの、この特別な例において、ＤＭが見られるようになる為の最初の条件は：（ａ）ＤＭ（ユーザー＃１によって送られた）の受信者（ユーザー＃２）もまた、ユーザー＃１がユーザー＃２にＤＭを送る前か、または後に、ＤＭを独立に元の送り主（ユーザー＃１）に送らなくてはならない。個別メッセージのやりとりの拡張として、ＤＭが見られるようにするための追加の条件として、プロフィール合わせの技術（多様なインターネットウェブサイトや携帯電話デートサービスで採用されている）を組み入れることが可能である。もしプロフィール合わせの技術が組み入れられれば、この特別な個別メッセージのやりとりの例において、ＤＭが見られるか見られないかについて追加の２つの条件がある：（ｂ）ユーザー＃２はユーザー＃１によって指定された一組の基準（“合致基準”）に合う人的態度（彼の装置に“個人データ”として収められている）をしている。（ｃ）ユーザー＃１の個人データがユーザー＃２の合致基準に合っている。条件（ａ）は、受信者である彼または彼女があるレベルの興味を示したＤＭを元の送り主に独立に送らない限り、受信者はメッセージを見ないか、または全く知ることが無い（彼または彼女の装置が送信を受け取ったとしても）。条件の（ｂ）および（ｃ）は両ユーザーが互いの相性についての最小限の要求を満たさない限り、受信者はメッセージが送られたということを知ることが無いことを保証する。
【０１９１】
ある１人のユーザーの合致基準と他のユーザーの個人データを比べるときに、一方のユーザーによって指示された各条件と他のユーザーからの適切な内容とを“対応させる”ことが可能でなければならない。その内容のための選択基準のためにあるのと同じ標準のカテゴリーを、そのユーザーの情報用としても持つことでその対応化が行われる。このアプリケーションにおいては、ユーザー＃２の個人データ上にユーザー＃１によって設定される条件はユーザー＃１の合致基準で指定される。次に、合致基準はカテゴリー別に個人データと比較される。ユーザーは自分の個人データと合致基準を、メニューがプロンプトする多重選択質問に応答して自分の装置に入力することができる。その答えは記憶され、全ての送受信される個別メッセージに適用される。
【０１９２】
一方のユーザーの個人情報は、他のユーザーの合致基準に異なった程度で一致するかもしれない−全てのカテゴリーの合致、から、合致するカテゴリー無しまで−，このデート約束への適用という特殊例では、１００％の合致が必要である。したがって、個人データの全てのカテゴリーが合致基準の全てのカテゴリー内で特定される基準と合っているときだけユーザー＃２はユーザー＃１の合致基準に合格する。この要求は、しかし、思うよりもずっと厳しくはない、何故なら、あるユーザーの合致基準のどのカテゴリーに対してもそのユーザーはいくつかの当たり前の“答え”または“特に指定なし”を指定しているからである。極端な場合、ユーザーは全てのカテゴリーで“特に指定無し”を選択するかもしれない。それは実質的に“ゼロ”合致基準ということであり、どんな個人データの設定にも合致することになる。
【０１９３】
もし、上記の条件全てが満たされれば、両ユーザーは他のユーザーからＤＭを受信したことを知らされる。受信者、例えばユーザー＃１によって実際に見られるＤＭの内容は：
【０１９４】
・  文字、画像、およびと、または動画のいくつかの組み合わせを含む、他のユーザー、すなわちユーザー＃２からのメッセージ。これは事前に用意された初期設定のメッセージかもしれないし、特別にこのＤＭのために用意されたメッセージかもしれない。このメッセージの内容には制限は無く、長くても、非常に短くても良い。
【０１９５】
・  ユーザー＃２の顔の画像−またはユーザー＃２が乗り物、登録プレート番号を付けた乗り物の中にいれば、登録プレートまたはその乗り物の写真。（実際のところ画像の内容にも、識別および確認という目的を満たすこと以外の制限は無い：このことは、このユーザーにメッセージを送ろうとしている誰かが、そのユーザーの画像と視覚外見とを一致させてみることを可能にする。）
【０１９６】
・  装置のディスプレーの２次元マップ上に示されるユーザー＃２の現在の位置と、ユーザー＃１の位置からのユーザー＃２の方向。この情報は、装置の位置座標と装置の向いている方向が決定される方法＃６または方法＃７の知覚的アプローチ法を用いたときだけ、しかも、他のユーザーがごく近傍に居る場合にだけに得ることが出来る。
【０１９７】
・  ユーザー＃２がコンタクトされる時の好ましい態様（会って、電話を通じて、Ｅメールを通じて、等）および関連するユーザー＃２の接触情報（電話番号、Ｅメールアドレス、等）
【０１９８】
見ることが出来るメッセージ−可変性のもの
上記のメッセージ内容に加えて、ユーザー＃２からユーザー＃１が受け取ったメッセージの見ることが出来る内容がユーザー＃１からユーザー＃２に送られるメッセージに依拠するという意味において可変的である、見ることが出来る他のメッセージ内容がある。この依拠することの性格は、しかし変り得て、唯一の制限は循環の可能性を避けることである。個別メッセージのやりとりのこの事例では、可変的内容に４つの種類があり、各々がそれぞれの種類の依拠性を有している：
【０１９９】
・  共通の属性
セットアップの一部として、ユーザーは自分の装置に自分のことについての情報を、例えば、生年月日、生まれた場所、宗教、入会政党などのいくつかの決められたカテゴリーで入力する。ユーザーが他のユーザーからのＤＭを見るための必要な条件を満たすと、全ての共通の属性データは各ユーザーの装置から他のユーザーの装置に送信される。この情報は、しかし、他のユーザーがアクセスすることは出来ない。次に、各ユーザーの装置では２人のユーザーのデータがカテゴリーごとに比較される。各カテゴリーで両ユーザーのデータが同様かまたは同じである場合、そのデータは相手のユーザーから受信したＤＭの一部として見られる。もし、データが同じでなかったら、それは見られることは無い。例えば、もしユーザー＃１がカソリックで、民主党支持で、米国ミネソタ州ドルース生まれで、２引きの猫を飼っている；ユーザー＃２は、ユダヤ人で、民主党支持で、米国ミネソタ州ミネアポリス生まれで、犬を一匹飼っている、とすると、両者に送られるＤＭに含まれるメッセージは、相手はミネソタ生まれの民主党支持者ということである。宗教やペットについては述べない。望ましい方法はユーザーが自分のデータを入れるのに、選択肢の中から答えを選択していく質問によって記入していくことである。あるいは、ユーザーはデータの１カテゴリーにつき１つの質問に自分のデータを自由文字として入力することも出来る。次にユーザーのデータが、項目ごとに、ファジー論理アルゴリズムを使って一方のユーザーの答えが他方のユーザーの答えと同じであるかどうか比較される。
【０２００】
・  社交サークルの重ね合わせ
各ユーザーに、彼らが他のユーザーと共有している社交関係を報告するのに２つのレベルがある。第１の方法は、外部のデータベースを必要としない利点があるが、両方の装置がネットワークへの無線接続を通じてデータベースにアクセスする第２の方法よりはわずかな情報しか提供しない。
【０２０１】
社交サークルの重ね合わせ、方法＃１
セットアップ過程の一部として、ユーザーはその全ての友人、家族、知人の名前を装置に入力する。もし他の人からのＤＭを見る必要な条件が満たされたとき、各ユーザーの社交サークル内の全ての人の名前が、各ユーザーの装置から他のユーザーの装置に送信される。この情報は、しかし、他のユーザーにアクセス可能ではない。次に、各ユーザーの装置上で、各ユーザーに関連する名前のリストが比較される。もし、両ユーザーのリストにある名前が似ていたり同じであった場合、その名前は他のユーザーから受け取ったＤＭの一部として見られることになる。２つの名前が同じであるかどうかという判定は、ニックネームやイニシアル等を使うと問題を起こしがちである。このため、ファジー論理アルゴリズムが採用される。エラーは、２つの名前が同一であるかどうか（“Jack Smith”は”John Smith”と同じか？）の判定における偽正解や偽不正解という脈絡でのみ起こるのではなく、２人の異なる人物が同じ名前を持っていることでエラーが起こる可能性もある。どちらのケースでも、このアプリケーションの主たる目的が会話のベースを提供するという中では、エラーは重要な問題ではなく、“John Smith”が実際には違う２人の人物であることを判定することは“氷を溶かす”ための有効な会話となり得る。
【０２０２】
社交サークルの重ね合わせ、方法＃２
セットアップ過程の一部として、ユーザーは全ての友人、家族、知人の名前を彼らの装置またはコンピュータに入力する。この情報はネットワークを通じてコンピュータのデータベースに送信され、コンピュータは各ユーザーの社交サークルを記憶し、かつ多くのユーザーの社交サークルを統合して全てのユーザーの社交ネットワークモデルを構築する。もし各ユーザーが他のユーザーからのＤＭを見るための必要条件を満たしたときは、その社交ネットワークデータベースは各ユーザーからアクセス可能となる。各装置は両方のユーザーのＩＤ番号をデータベースに報告し、データベースは次に、彼らの間の社交的つながりに関する２人のユーザーの関係を判定する。このつながりの連鎖がネットワークを通じて両ユーザーの装置に返信される。このユーザー間の関係はユーザーのディスプレー上に図の形で示される。しかし、この関係は、社交ネットワークデータベースが充分出来上がっている場合のみ判定される。もし、ユーザー間の関係が判定されないときは、この情報はＤＭの中に含まれない。
【０２０３】
・  興味のレベル
各ユーザーは、彼または彼女の装置に、彼らが他のユーザーに持った興味のレベルを入力する。この情報は他のユーザーの装置に送信される。しかし、ユーザー＃２に示されるユーザー＃１のユーザー＃２に対する興味の程度は、ユーザー＃１によって表明されたユーザー＃２への興味の程度のみならず、ユーザー＃２によって示されるユーザー＃１への興味の程度に依存する。実際に両ユーザーに示される興味の度合いは常に同じであって、どちらかのユーザーが表明した共通する最低の興味である。例えば、もしユーザー＃１がユーザー＃２に“のぼせ上がっ”ても、ユーザー＃２が単にユーザー＃１に“興味を持った”程度であれば、ユーザー＃２はユーザー＃１の興味の程度が“興味あり”として見ることになる。メッセージが送られるたびにこの情報を入力するよりは、ユーザーはデフォルトの興味レベル、例えば“興味あり”を選択しておくことができるが、与えられた情況に対して異なった興味レベルを選択できる。ユーザーは次の興味レベルから選択できる：
ａ）興味あり
ｂ）惹きつけられた
ｃ）魅惑された
ｄ）のぼせ上がった
ｅ）恋に落ちた
【０２０４】
［個別メッセージのやりとりの１つの変形では、ＤＭの受信者（ユーザー＃２）が元の送り主（ユーザー＃１）にＤＭを返信していなくても、ＤＭの受信者（ユーザー＃２）が匿名のＤＭを受信したことの知らせを受け取ることを、デフォルトとしてか、または送られた各特定のＤＭの度にか、送信者（ユーザー＃１）が指定できる（ユーザー＃２はこの時点ではＤＭを見ることは出来ない）。  ユーザーが匿名の通知を選択しないかもしれない理由は、ＤＭを受信したタイミングと状況が送り主の身元のヒントを与え、送信者が想定する拒絶の恥ずかしさというリスクを増すのを助長する可能性があるからである。］
【０２０５】
個別メッセージのやりとりに関しては、興味が互いに表明されなければ送られたＤＭが決して明らかにされることは無いということをユーザーが確信できることが重要である。このために、このシステムの中に追加に２つの仕様が含まれる。第１に、ＤＭはデフォルトで、または送られるＤＭごとに、ユーザーによってマニュアルで有効期限が付される。ＤＭの有効期限が切れたときは、ユーザーの装置上で削除され、かつ、個別メッセージのやりとりの仕組みによっては、第３者データベースまたは受信者の装置上で削除される。第２に、ユーザーの装置が削除コマンドを送信して、ユーザーによって以前送られ、今は第３者データベース内または他のユーザーの装置内にある、有効期限内のＤＭを直ちに削除することが出来る。［関連する保護仕様としては、ユーザー（ユーザー＃１）は、他のユーザー（ユーザー＃２）に削除通信を送り、受信者（ユーザー＃２）の装置上のユーザー（ユーザー＃１）の写真、関連する装置ＩＤ番号、ネットワークアドレスを削除できる。同時に、ユーザー＃１の装置上のユーザー＃２の全ての情報が削除される。（“保護”の章で後述）］
【０２０６】
外部への送信の内容
個別メッセージを送信することには、いくつかの通信工程を含む装置間の相方向情報交換が含まれる。（注意：これは幾分、第３者サーバー、またはピアツウピアシステムが装備されているかどうかに拠る。以下の記述は主にピアツウピアシステムに対して行う。）このデート約束アプリケーションの例では、ＤＭのパート１で送信される情報は次のものを含む：
（１）  装置ＩＤ番号
（２）  ネットワークアドレス
（３）  位置データ
（４）  “これはＤＭである”というフラグ
（５）  ＤＭの有効期限
（６）  ユーザーの画像
（７）  ユーザーの合致区分
もし両者が全ての条件を満たせば、以下の情報がＤＭのパート２で送信される：
（８）  好ましいコンタクト方法とコンタクト情報
（９）  共通属性を判定する個人データ
（９）  社交サークルの重畳：もし方法＃１を用いるのなら、社交サークル内の名前のリスト。もし方法＃２を用いるなら、それ以上の情報は送信不要。
（９）  興味のレベル
（１０）文字メッセージ、画像、音、または動画クリップ
【０２０７】
個別メッセージのやりとりにおける操作と情報の流れ
以下の、個別メッセージのやりとりの説明では知覚的アプローチおよび種々の送信方法の専門事項については無視し（上述した）、その代わり個別メッセージのやりとりの仕組みに焦点を当てる。
【０２０８】
第３者サーバーによる解決
図１５Ａは、互いに個別メッセージを送る２人のユーザーの装置の間の論理的な操作と情報の流れを、中間のサーバーおよびデータベースとともに、一般的に述べている。以前述べたように、第３者サーバーに仲介される電子通信システムは、現在はそのＥメールアドレスや電話番号がすでに送信者に知られているユーザーに用意されている。しかし、自動化された第３者仲介による交信という能力と、知覚的アプローチとの組み合わせは、ある人の極く近傍環境に居る初めての人との間接的な交信を可能にするので、強力な社交ツールを作り上げる。
【０２０９】
ピアツウピアによる解決
図１５Ｂは、１個の装置から見た、個別メッセージのやりとりの論理的な操作と情報の流れの例を述べている。２つの装置のシステムについては、この特別なアプリケーションにおける、個別メッセージのやりとりの以下のステップごとの操作と情報の流れの説明を見よ。この説明では、知覚的アプローチの方法は、方法＃８、すなわち位置の特定と空間位置マッピング、とする。（注：以下の説明では、同じ横位置のステップはおよそ同時に起こる）
【０２１０】
2007525910.tif 000010
2007525910.tif 000011
【０２１１】
この時点からは、３つの起こりうる結論がある。
（i）ユーザー＃２はユーザー＃１に決してＤＭを送らない。この場合、
2007525910.tif 000012
【０２１２】
（ii）  ユーザー＃２は、ユーザー＃１のユーザー＃２宛のＤＭが期限切れになった後、ユーザー＃１にＤＭを送る。結果は前のケースと同じであるが、記録の削除および上述のログ記載事項の生成の後に、ユーザー＃２によって新しいＤＭが始められる。その後の手続きは、上記で正確に述べたようにステップ（１）から始まる。ただし、ユーザー＃１とユーザー＃２の名前は入れ替わる。
【０２１３】
（iii）ユーザー＃２は、ユーザー＃１のユーザー＃２宛のＤＭが期限切れになる前に、ＤＭをユーザー＃１に送る。  このケースだけが、この時点から前に進ませる。
2007525910.tif 000013
2007525910.tif 000014
【０２１４】
これから先は、４つの起こりうる結末がある。
i．  ユーザー＃１はユーザー＃２の合致基準に合わないが、ユーザー＃２はユーザー＃１の合致基準に合っている。
ii．  ユーザー＃２はユーザー＃１の合致基準に合わないが、ユーザー＃１はユーザー＃２の合致基準に合っている。
iii．  どちらのユーザーも相手の合致基準に合わない。
iv．  どちらも相手の合致基準を満たす。
【０２１５】
これらの４つの起こりうる結果について以下に詳述する。
（i）  ユーザー＃１はユーザー＃２の合致基準に合わないが、ユーザー＃２はユーザー＃１の合致基準に合っている。
2007525910.tif 000015
【０２１６】
（ii）  ユーザー＃２がユーザー＃１の合致基準を満たさない。
2007525910.tif 000016
【０２１７】
（iii）  どちらのユーザーも相手の合致基準を満たさない。
2007525910.tif 000017
【０２１８】
（iv）  どちらも相手の合致基準を満たす。このケースだけがこのポイントから前に進む。
2007525910.tif 000018
2007525910.tif 000019
【０２１９】
V．  保護
・  ユーザーは特定の相手からの、以後の全ての交信を拒絶することが出来る。これは、そのユーザーの装置からの全ての送信に永久に応信しないことを含む。
・  ユーザーは他のユーザーの装置ＩＤ番号やネットワークアドレスに直接アクセスできない。彼らは彼らが交信したいとおよびも例えば、ユーザーの画像を選択することによって他のユーザーとの交信を始める。
・  確認目的のために受信した画像、装置ＩＤ番号、およびネットワークアドレスは、メッセージを送るために使用されないときは、短時間（秒または分単位）で削除される。
・  ユーザー＃１は、装置＃１が装置＃２の装置ＩＤ番号およびネットワークアドレスを持っている限りは、彼女の装置に対して、いかなる他の装置（装置＃２）に向けても“消去”コマンドを発信するよう指令することが出来る。この消去コマンドは、装置＃２から、ユーザー＃１の画像、装置ＩＤ番号、およびネットワークアドレスを消去させる。しかし、同時に、装置＃１から装置＃２の情報も消去される。
・  ユーザーは独立に提供されるいかなるプログラムへの参加を不作動化することが出来る。例えば、ユーザーは個別メッセージを受信する能力を維持したいと思い、一方、通常の（ＤＭでない）メッセージを受信したくないかもしれない。
・  他のユーザーに関する情報を装置からエクスポートすることは出来ない。
・  装置間の全ての交信は、システム外装置が盗み聞きするのを防ぐため、システム内共通キーを用いる暗号化処理が施される。このキーは周期的に変更され、新しいキーは自動的に配られて、装置が交信するときに装置から装置へとインストールされる。装置は、まだ交信されていない他の装置と交信できるように、以前のキーを維持する。新しい暗号キーを自動的にインストールできる能力は、全ての装置のファームウェアに収められているシステム内パスワードによって保護されており、全ての適正な暗号キーの更新をもたらす。
【０２２０】
従来技術に対する本システムの優位点
１．“恋愛上の交渉”において、本発明は会ったことがない人同士、また、すでにお互いを知っている同士の間で互いに惹かれあっているかどうかの不確実性を減少する。インターネットを使ったシステム（SecretAdmirer.com）や、携帯電話を使ったシステム（Flirtylizer）などの他のシステムは、すでに互いに知っている人の間のこの不確実性を減少する手段を提供するが、なんのコンタクト情報も持たない人々にはこれらのシステムは適用できない。本発明を使用すれば、人々は、それが始めての人であろうがなかろうが、個人的な拒絶という問題に妨げられずに、彼らの興味を安全に交信できる。そして、この発明は他の人への興味を表明するのにリスクの無い方法を可能にするので、人々が他の人への興味をより自由に表明するように勇気付ける。
【０２２１】
２．もし人々が、ある人にアプローチする前に、誰かへの興味が相互的であるかどうかを知らせてくれる個別メッセージのやりとりを頼りにすることを学べば、おせっかいで潜在的に求めていない提案の頻度を減少させる。恋愛向けのアプリケーションでは、したがって、興味が相互的でない場合に、人々が恋愛上の興味を表明した誰か他の人を拒絶しなければならないという不快な立場に置く頻度を減少させる。一度も会ったことがなく互いの接触情報を持たない個人の間にこのサービスを提供する技術は他には無い。
【０２２２】
３．もしユーザーが通常のメッセージのやりとりを不作動にし、個別メッセージのやりとりのみを許容すると、そのユーザーは根本的には求めていないメッセージを受信するあらゆる可能性を防止する。
【０２２３】
４．本発明は、相手の人の名前もコンタクト情報も知ることなしに、特定の人に電子メッセージ（文字、声、画像、または動画）を好便に送ることが出来る。この能力を提供する技術は他にはない。
【０２２４】
５．知覚的アプローチは、社交的状況の妥当性やそこに居合わせているかもしれない特定の人によって邪魔されずに、見知らぬ他人と交信する社交上の慎重な方法を与えてくれる。
【０２２５】
６．知覚的アプローチは、例えば他の人が路上の他の車の中にいたり、講演や出し物の間、数席離れた席に座っているときに、他の通信手段では不可能な状況にある知らない人と交信する便利な方法を与えてくれる。
【０２２６】
７．知覚的アプローチは、チームメンバーが各々の位置情報によって、どの人がどの位置にいるかを知る必要なく、またはメッセージを周囲に発信する必要もなく、お互いと交信することを可能にする。このことは、軍事または市民行動で有用であろう。
【図面の簡単な説明】
【０２２７】
【図１】図１は、本発明の第１の図示実施例が機能する環境の図を示す。
【図２】図２は、無線端末１０１−ｉの主な構成要素のブロック図を示す。ここで、ｉ＝１〜８である。
【図３】図３は、第１の図示実施例において、人が求愛者になれるようにするために当人の無線端末が行う主なタスクのフローチャートを示す。
【図４】図４は、図３のタスク３０２に関する主なタスクのフローチャートを示す。
【図５】図５は、第１の図示実施例において、人が被求愛者になれるようにするために当人の無線端末が行う主なタスクのフローチャートを示す。
【図６】図６は、本発明の第２の図示実施例が機能する環境の図を示す。
【図７】図７は、無線端末６０１−ｉの主な構成要素のブロック図を示す。ここで、ｉ＝１〜８である。
【図８】図８は、第２の図示実施例において、人が求愛者になれるようにするためにデータ処理システムが行う主なタスクのフローチャートを示す。
【図９】図９は、第２の図示実施例において、人が被求愛者になれるようにするために行う主なタスクのフローチャートを示す。
【図１】
2007525910.tif 000020
【図２】
2007525910.tif 000021
【図３】
2007525910.tif 000022
【図４】
2007525910.tif 000023
【図５】
2007525910.tif 000024
【図６】
2007525910.tif 000025
【図７】
2007525910.tif 000026
【図８】
2007525910.tif 000027
【図９】
2007525910.tif 000028
【図１０】
2007525910.tif 000029
【図１１】
2007525910.tif 000030
【図１２】
2007525910.tif 000031
【図１３】
2007525910.tif 000032
【図１４】
2007525910.tif 000033
【図１５Ａ】
2007525910.tif 000034
【図１５Ｂ】
2007525910.tif 000035
【図１６】
2007525910.tif 000036
【図１７】
2007525910.tif 000037
【図１８】
2007525910.tif 000038
【手続補正書】
【提出日】平成17年12月28日(2005.12.28)
【手続補正１】
【補正対象書類名】特許請求の範囲
【補正対象項目名】全文
【補正方法】変更
【補正の内容】
【特許請求の範囲】
【請求項１】
第１の人の外見上の識別特徴に基づいて該第１の人に対する通信アドレスを決定し、第２の人によって開始させられる、知覚的アプローチの工程を実施すること；および
前記通信アドレスからの通信が前記知覚的アプローチ工程が実施される前に送信されており、前記知覚的アプローチ工程が実施される以前には前記第２の人によって前記通信が見られることを不可能にさせられている前記通信を前記第２の人が見ることを可能にする、慎重なメッセージのやりとりの工程を実施すること、を含む方法。
【請求項２】
前記通信アドレスからの前記通信が中継位置または前記第２の人の通信端末のどちらかに送信された、請求項１記載の方法。
【請求項３】
前記通信が前記第１の人とのコンタクト情報を含む、請求項１記載の方法。
【請求項４】
前記第２の人の外見上の識別特徴に基づいて前記第２の人に対する通信アドレスを決定する第２の知覚的アプローチの工程を実施することをさらに含み、該第２の知覚的アプローチの工程は前記通信を送信する前に前記第１の人によって開始させられる、請求項１記載の方法。
【請求項５】
前記知覚的アプローチの工程および前記慎重なメッセージのやりとりの工程の両方が中間処理システムによって行われる、請求項１記載の方法。
【請求項６】
前記知覚的アプローチの工程が、前記第２の人から提供されるデータに応じて、中間処理システムによって行われる、請求項１記載の方法。
【請求項７】
前記通信が送信されたことを示す通知が前記第２の人に提供され、該通知は前記第１の人の身元を示さず、又は前記通信を見ることを可能としない、請求項１記載の方法。
【請求項８】
前記第２の人によって提供されるデータが、画像、声の記録、英数文字列、前記第１の人の前記第２の人に対する相対的位置、前記第１の人の通信アドレス、または装置の装置識別情報のうち少なくとも１つを捕捉可能な携帯電子装置を用いて得られる、請求項７記載の方法。
【請求項９】
前記慎重なメッセージのやりとりの工程の実施は、中間処理システムへの通信を送信することを含む、請求項１記載の方法。
【請求項１０】
前記第１の人の外見上の識別特徴は、前記第１の人の生物測定学的特徴を含む、請求項１記載の方法。
【請求項１１】
前記第１の人の生物測定学的特徴は、前記第１の人の顔画像または声のどちらかである、請求項１０記載の方法。
【請求項１２】
前記第１の人に対する前記通信アドレスを決定する前記知覚的アプローチの工程を実施することが、
前記第２の人の近くにある装置に関係づけられた前記第１の人の外見上の識別特徴の代表を提示すること、および
前記第２の人の近くにある前記装置に関係づけられた前記第１の人の前記通信アドレスを決定することを含み、
前記第１の人は、前記第２の人からの入力に応答して、前記第２の人の近くにある前記装置に関係づけられた前記第１の人の外見上の識別特徴の前記代表に基づき選択される、請求項１記載の方法。
【請求項１３】
前記第２の人の近くにある前記装置の装置識別情報を決定することが、前記第２の人の近くにある複数の装置の装置識別情報を判断することを含む、請求項１２記載の方法。
【請求項１４】
前記第２の人の近くにある前記装置に関係づけられた前記第１の人の外見上の識別特徴の前記代表を提示することが、前記第２の人の近くにある前記複数の装置に関係づけられた複数の第１の人の外見上の識別特徴の代表を提示することを含む、請求項１３記載の方法。
【請求項１５】
前記第２の人の近くにある前記装置に関係づけられた前記第１の人の前記通信アドレスを決定することが、前記第２の人の近くにある前記複数の装置のうちの選択された１つに関係づけられた１人の第１の人の前記通信アドレスを決定することを含み、前記第２の人の近くにある前記複数の装置のうちの前記選択される１つは、前記第２の人の入力に応答して、前記第２の人の近くにある前記複数の装置に関係づけられた前記複数の第１の人の前記外見上の前記識別特徴の前記代表に基づき選択される、請求項１４記載の方法。
【請求項１６】
前記識別特徴の代表が、前記関係づけられた第１の人の画像、声、または位置のいずれかを含み、第２の人の近くにある前記複数の装置のうちの前記選択される１つは、前記第２の人が前記第１の人を選択するのに応答して、前記第１の人の画像、声、または位置に基づき選択される、請求項１５記載の方法。
【請求項１７】
第２の人の近くにある前記装置に関係づけられた前記第１の人の前記識別特徴の前記代表が、前記関係づけられた第１の人の画像を含む、請求項１２記載の方法。
【請求項１８】
第２の人の近くにある前記装置識別情報の決定が、
第２の人の近くにある前記装置に装置識別情報を要求すること、および
関係づけられた装置識別情報を含む応答を前記装置から受信することを含む、請求項１２記載の方法。
【請求項１９】
前記要求の送信は前記第２の人によって操作される装置によって実行される、請求項１８記載の方法。
【請求項２０】
前記装置識別情報を要求することが、前記第２の人の近くにある無線周波数識別装置をポーリングすることを含む、請求項１８記載の方法。
【請求項２１】
前記第２の人の近くにある前記装置の前記装置識別情報は、前記装置に前記装置識別情報を要求することによって決定され、前記第２の人の近くにある前記装置に関係づけられた前記第１の人の外見上の識別特徴が前記装置によって与えられる、請求項１２記載の方法。
【請求項２２】
前記装置識別情報の要求が前記第２の人の近くにある全ての装置に対する放送として行われる、請求項１８および２１記載の方法。
【請求項２３】
前記第２の人の近くにある前記装置の前記装置識別情報を決定することが、遠隔処理システムによって行われる、請求項１２記載の方法。
【請求項２４】
前記遠隔処理システムは、プロセッサーを有する通信システムを含む、請求項２３記載の方法。
【請求項２５】
前記遠隔処理システムは、複数の装置の各々によって与えられるデータに基づいて前記複数の装置の装置位置の記録を維持する、請求項２３記載の方法。
【請求項２６】
前記遠隔処理システムは、ローカル無線ネットワークである、請求項２５記載の方法。
【請求項２７】
第２の人の近くにある前記装置の前記装置識別情報を決定することが、前記第２の人の近くの複数の装置から装置識別情報のデータを受信することを含む、請求項１２記載の方法。
【請求項２８】
前記第２の人の近くにある複数の装置の各々が周期的に前記装置識別情報のデータを放送する、請求項２７記載の方法。
【請求項２９】
前記第２の人の近くにある前記装置に関係づけられた前記第１の人の外見上の識別特徴の前記代表を提示することが、前記第２の人の要求に応じて行われる、請求項１２記載の方法。
【請求項３０】
前記第２の人によって与えられる興味表示の第１のレベルを処理することをさらに含み、前記興味表示の前記第１のレベルは前記第１の人に関する前記第２の人の興味レベルを表わす、請求項１記載の方法。
【請求項３１】
前記第１の人によって与えられる興味表示の第２のレベルを処理することをさらに含み、前記興味表示の前記第２のレベルは前記第２の人に関する前記第１の人の興味レベルを表わす、請求項４記載の方法。
【請求項３２】
前記第１の人に関する前記第２の人の興味レベルを表わす、前記第２の人によって与えられる興味表示の第１のレベルを処理すること、
前記第２の人に関する前記第１の人の興味レベルを表わす、前記第１の人によって与えられる興味表示の第２のレベルを処理すること、および
前記第１の人および第２の人に、興味表示の前記第１および第２のレベルの相対的レベルに基づいて、興味表示の前記第１または第２のレベルのどちらかを示す知らせを提供することをさらに含む、請求項４記載の方法。
【請求項３３】
第２の人に関係づけられた通信アドレスの決定に結びつく第１の人の物理的近傍にいる前記第２の人の外見上の識別要因、または、前記外見上の識別要因によって決定される前記第２の人に関係づけられた前記装置識別情報または通信アドレス、のどちらかを示す入力を前記第１の人から受信すること、
前記第１の人の社交的接触リストを前記第２の人の社交的接触リストと比較すること、および
前記第１および第２の人の両方の接触リストで同定される共通の社交的接触の表示を含んだ、前記第１の人の接触情報を、前記第２の人に提供することを含む、方法。
【請求項３４】
前記第１の人の社交的接触リストと前記第２の人の社交的接触リストは、前記第１および第２の人の各々の通信装置内に格納される、請求項３３記載の方法。
【請求項３５】
比較は、前記第１および第２の人から離れた処理システムによって行われる、請求項３３および３４記載の方法。
【請求項３６】
比較は、前記第１または第２の人のどちらかの通信装置で行われる、請求項３３および３４記載の方法。
【請求項３７】
前記第１の人の社交的接触リストと前記第２の人の社交的接触リストは、処理システムの共通のデーターベース内に保持される、請求項３３記載の方法。
【請求項３８】
前記第１の人の接触情報は、前記第１および第２の人の双方が互いへの興味を表明した後に前記第２の人に提供される、請求項３３および３７記載の方法。
【請求項３９】
前記第１の人の接触情報は、前記第１および第２の人の双方が前記処理システムを通じて互いへの興味を表明した後に前記第２の人に提供される、請求項３７記載の方法。
【請求項４０】
前記第１の人と第２の人の社交的接触リストの双方内で共通の社交的接触が同定された場合前記第２の人の接触情報を前記第１の人に提供することをさらに含む、請求項３８および３９記載の方法。
【請求項４１】
前記同定された共通の社交的接触を前記第２の人に知らせることをさらに含む、請求項３３記載の方法。
【請求項４２】
第２の人に関係づけられた通信アドレスの決定に結びつく、第１の人の物理的近傍にいる前記第２の人の外見上の識別要因、または、前記外見上の識別要因によって決定される前記第２の人に関係づけられた前記装置識別情報または通信アドレス、のどちらかを示す入力を前記第１の人から受信すること、
人々のデーターベースを、その対応する友人、家族、および知人のリストと共に維持すること、
各人の社交ネットワークモデルを構築すること、
前記社交ネットワークモデルに基づいて、前記第１および第２の人の間の社交的なつながり関係を決定すること、および
前記社交的なつながり関係のデータを前記第１および第２の人に提供すること、を含む方法。
【請求項４３】
第１の人および第２の人の双方から互いに対する相互の興味を示す入力を受信すること、
人々のデーターベースを、その対応する友人、家族、および知人のリストと共に維持すること、
各人の社交ネットワークモデルを構築すること、
前記入力に応答して、前記社交ネットワークモデルに基づき、二人のユーザー間の社交的なつながり関係を決定すること、および
前記社交的なつながり関係のデータを前記２人のユーザーに提供すること、を含む方法。
【請求項４４】
前記社交的なつながり関係のデータは、前記第１および第２の人の間の社交上の乖離の複数のレベルを示す、請求項４２および４３記載の方法。
【請求項４５】
第１の装置を介した、あるユーザーから複数の他の装置に向けた要請に応答して、各々が前記複数の他の装置の１つに関係づけられた複数の人の外見上の識別要因の代表を提示すること、および
前記ユーザーからの入力に応答して、前記提示された前記複数の人の前記外見上の識別要因の前記代表に基づき決定された、ある選択された人の通信アドレスを決定すること、を含む方法。
【請求項４６】
前記外見上の識別要因の前記代表は、前記関係づけられた人の画像、声のサンプル、または相対的位置を含む、請求項４５記載の方法。
【請求項４７】
前記複数の他の装置に装置識別情報を要求すること、および
関係づけられた装置識別情報を含む前記複数の他の装置からの応答を受信することをさらに含む、請求項４５記載の方法。
【請求項４８】
前記複数の他の装置は無線周波数識別装置であり、前記装置識別情報を要求することは前記無線周波数識別装置に問い合わせることを含む、請求項４７記載の方法。
【請求項４９】
前記人の前記通信アドレスからの通信を前記ユーザーが見ることを可能にする、慎重なメッセージのやりとりの工程を実施することをさらに含む、請求項４５から４８記載の方法。
【請求項５０】
複数の装置の関係づけられた装置識別情報または通信アドレスを要求する入力を、中間処理システムから受信すること、
前記複数の装置の各々に関係づけられた人の生物測定学的要因の代表をユーザーに提示すること、および
前記ユーザーからの入力に応答して、前記提示された前記生物測定学的要因の代表に基づき、選択された装置の前記関連する装置識別情報または通信アドレスを決定すること、を含む方法。
【請求項５１】
前記中間処理システムが、前記複数の装置の各々によって提供されるデータに基づいて、前記複数の装置の装置位置の記録を維持する、請求項５０記載の方法。
【請求項５２】
前記遠隔処理システムはローカル無線ネットワークである、請求項５１記載の方法。
【請求項５３】
前記中間処理システムは、複数の装置が登録されているローカルアリアネットワークを含む、請求項５０記載の方法。
【請求項５４】
前記ユーザーが前記選択された装置からの通信を見られるように慎重なメッセージのやりとりの工程を実行することをさらに含む、請求項５０から５３記載の方法。
【請求項５５】
第１の装置を介した、あるユーザーから複数の他の装置に向けた要請に応答して、各々が前記複数の他の装置の１つに関係づけられた複数の人の声のサンプルデータを提示すること、および
前記ユーザーからの入力に応答して、前記提示された前記複数の人の声のサンプルデータに基づき決定された、ある選択された人の通信アドレスを決定すること、を含む方法。
【請求項５６】
第１の装置を介した、あるユーザーからの要請に応答して、前記ユーザーの近くにある第２の装置に関係づけられた人の外見上の識別要因の代表を提示し、前記第２の装置に関係づけられた人の通信アドレスを提供すること、および
前記ユーザーからの入力に応答して、前記第２の装置に関係づけられた人の前記外見上の識別要因の前記代表に基づき、前記人の前記通信アドレスにメッセージを通信すること、を含む方法。
【請求項５７】
ある人に関係づけられた英数データを含む画像に対し、英数データを抽出する処理をすること、および
前記英数データに関係づけられた装置の装置識別情報または通信アドレスを決定すること、を含む方法。
【請求項５８】
前記英数データが、乗り物の識別タグを含む、請求項５７記載の方法。
【請求項５９】
ユーザーによって操作される第１の装置を用いて捕捉され、ある人の位置の表示または前記ある人の声のサンプルのうちの少なくとも１つを含む、前記ある人に関係づけられたデータを処理すること、および
前記ある人に関係づけられた第２の装置の装置識別情報または通信アドレスを決定すること、を含む方法。
【請求項６０】
前記捕捉されるデータは前記ある人の他の人に対する位置を含む請求項５９記載の方法であって、
前記第１の装置によって捕捉された画像上に前記ある人の位置を表わすアイコンを表示すること、および
前記ユーザーが前記表示されたアイコンを選択できるようなインターフェースを用意することをさらに含む方法。
【請求項６１】
前記捕捉されるデータは前記ある人の他の人に対する位置を含む請求項５９記載の方法であって、
前記第１の装置によって捕捉された画像上に前記ある人の位置および前記他の人の位置を表わすアイコンを表示すること、および
前記ユーザーが、前記表示されたアイコンの少なくとも１つを選択できるようなインターフェースを用意することをさらに含む方法。
【請求項６２】
前記捕捉されるデータは前記ある人の位置を含む請求項５９記載の方法であって、
前記第１の装置上に表示されたマップ画面上に前記ユーザーの位置を表わすアイコンを表示すること、および
前記ユーザーが前記表示されたアイコンを選択できるようなインターフェースを用意することをさらに含む方法。
【請求項６３】
前記捕捉されるデータは前記ある人の位置を含む請求項５９記載の方法であって、前記第１の装置を用いて第２の装置に前記位置を要求することをさらに含む方法。
【請求項６４】
前記装置識別情報または通信アドレスに関係づけられた第２の人の外見上の識別要因を前記ユーザーに提示すること、および
前記ある人は前記第２の人と同一であることを前記ユーザーが確認できるようなインターフェースを用意すること、をさらに含む、請求項５９記載の方法。
【請求項６５】
第２の人から第１の人への慎重なメッセージを受信すること、
前記慎重なメッセージを、前記第１の人が将来見ることが出来るように、見れないように分類して格納し、前記慎重なメッセージの内容または前記第２の人の識別情報を示すいかなる通知も前記第１の人には提供されないようにすること、および
前記第１の人によって実行される、前記慎重なメッセージとは関係づけられていない行動に応答して、前記第１の人が見ることが出来るように、前記慎重なメッセージを再分類することを含む、慎重に通信する方法。
【請求項６６】
前記慎重なメッセージが見ることが不可能なように分類されたままの時は、有効期間に応答して前記慎重なメッセージが消去される、請求項６５記載の方法。
【請求項６７】
前記第２の人からのコマンドに応答して前記格納された慎重なメッセージを消去することをさらに含む、請求項６５記載の方法。
【請求項６８】
前記第２の人によって観察された前記第１の人の識別特徴を示す、前記第２の人によって提供されるデータに応答して決定される通信アドレスを通じて、前記慎重なメッセージが受信される、請求項６５記載の方法。
【請求項６９】
前記慎重なメッセージの受信および格納は前記第１および第２の人から離れた処理システムによって行われる、請求項６５記載の方法。
【請求項７０】
第２の人からの入力に応答して、第１の人およびそれに関係づけられたプロフィールを同定するための知覚的アプローチの工程を実行すること、および
少なくとも、前記第１の人のプロフィールを前記第２の人によって指定された基準と比較するか、または前記第２の人のプロフィールを前記第１の人によって指定された基準と比較するかのいずれかの比較を行うこと、を含む方法。
【請求項７１】
前記第２の人からのメッセージを格納することをさらに含み、前記メッセージはある場所に格納される、請求項７０記載の方法。
【請求項７２】
前記メッセージを前記ある場所から前記通信アドレスを通じて前記第１の人へ送信する、請求項７１記載の方法。
【請求項７３】
前記ある場所は、前記第２の人によって操作される装置、または中間処理システムのいずれかである、請求項７１記載の方法。
【請求項７４】
第１の人の物理的近傍にいる第２の人の外見上の識別特徴を示し、前記第２の人に関係づけられた通信アドレスを決定することになる、前記第１の人からの入力を受信すること、およびその後
前記第１の人に宛てた通信であって、前記第１の人が前記第２の人の前記外見上の識別特徴を示す前に前記第２の人によって始められた通信を、初めて前記第１の人に提示すること、を含む方法。
【請求項７５】
前記第１の人の物理的近傍にいる人々のみに関係づけられた外見上の識別特徴の複数の代表を前記第１の人に提示することをさらに含み、各々の前記代表は前記第１の人の物理的近傍にいる人々のうちの１人のみに関係づけられている、請求項７４記載の方法。
【請求項７６】
前記外見上の識別特徴の代表は、画像、向き、距離、空間位置、または声のサンプルのうち１つまたはそれ以上の組み合わせを含む、請求項７５記載の方法。
【請求項７７】
前記第２の人の識別特徴を捕捉することをさらに含む、請求項７４記載の方法。
【請求項７８】
前記識別特徴は、画像、方向、距離、相対位置、声のサンプル、英数文字列、装置識別情報、または通信アドレスのうち１つまたはそれ以上である、請求項７７記載の方法。
【請求項７９】
前記第１の人から前記入力が受信された結果、前記第２の人に通信を送る、請求項７４記載の方法。
【請求項８０】
第１の人の外見上の識別特徴に基づいて前記第１の人の通信アドレスを決定するための、第２の人によって開始される知覚的アプローチの工程を実施する手段と、
前記知覚的アプローチの工程が実施される前に送信され、前記知覚的アプローチの工程が実施される前には前記第２の人が見ることが出来ないようになっている、前記通信アドレスからの通信を、前記第２の人が見ることが出来るようにするための慎重なメッセージのやり取りの工程を実施する手段と、を含む装置。
【請求項８１】
第１の人の物理的近傍にいる第２の人の外見上の識別特徴を示し、前記第２の人に関係づけられた通信アドレスを決定する結果をもたらす、前記第１の人からの入力を受信する手段と、
前記第１の人の社交接触リストと前記第２の人の社交接触リストを比較する手段と、
前記第１および第２の人の両方の接触リストで同定される共通の社交的接触の示唆を含む、前記第１の人の接触情報を、前記第２の人に提供する手段と、を含む装置。
【請求項８２】
第１の人の物理的近傍にいる第２の人の外見上の識別特徴を示し、前記第２の人に関係づけられた通信アドレスを決定する結果をもたらす、前記第１の人からの入力を受信する手段と、
対応する友人、家族、および知人のリストを有する、人々のデータベースを維持する手段と、
前記人々の各々の社交ネットワークモデルを構築する手段と、
前記社交ネットワークモデルに基づいて前記第１の人と前記第２の人の間の社交的つながりの関係を決定する手段と、
前記第１の人および前記第２の人に社交的つながりの関係のデータを提供する手段と、を含む装置。
【請求項８３】
第１の人および第２の人の両方からの、各々に対する互いの興味を示す入力を受信する手段と、
対応する友人、家族、および知人のリストを有する、人々のデーターベースを維持する手段と、
各人の社交ネットワークモデルを構築する手段と、
前記入力に応答して、前記社交ネットワークモデルに基づいて２人のユーザー間の社交的つながりの関係を決定する手段と、
前記２人のユーザーに社交的つながりの関係のデータを提供する手段と、を含む装置。
【請求項８４】
ある人に関係づけられた英数字データを含む画像に対し、英数字データを抽出するよう処理する手段と、
前記英数字データに関係づけられた装置の装置識別情報または通信アドレスを決定する手段と、を含む装置。
【請求項８５】
ユーザーによって操作される第１の装置を用いて捕捉され、かつ、ある人の位置の表示または前記ある人の声のサンプルのうち少なくとも１つを含む、前記ある人に関係づけられたデータを処理する手段と、
前記ある人に関係づけられた第２の装置の装置識別情報または通信アドレスを決定する手段と、を含む装置。
【請求項８６】
第２の人から第１の人に宛てた慎重なメッセージを受信する手段と、
前記慎重なメッセージを、前記第１の人が将来見ることが出来るように、見れないように分類して格納し、前記慎重なメッセージの内容または前記第２の人の身元を示すいかなる通知も前記第１の人に提示されないようにする手段と、
前記第１の人によって実行される、前記慎重なメッセージとは関係づけられていない行動に応答して、前記慎重なメッセージを前記第１の人が見ることが出来るように再分類する手段と、を含む装置。
【請求項８７】
第２の人からの入力に応答して、第１の人の通信アドレスを同定するための知覚的アプローチの工程を実施する手段と、
前記知覚的アプローチが前記第１の人の通信アドレスを同定するためになされたことを示す知らせであって、前記第１の人が前記第２の人を同定する手段を提供することのない知らせを、前記通信アドレスを通じて前記第１の人に送信する手段と、を含む装置。
【請求項８８】
第２の人からの入力に応答して、第１の人の通信アドレスを同定するための知覚的アプローチの工程を実施する手段と、
少なくとも前記第１の人のプロフィールが前記第２の人によって指定された基準を満たすか、または前記第２の人のプロフィールが前記第１の人によって指定された基準を満たす場合にのみ前記第１の人が見ることが出来るメッセージを、前記通信アドレスを通じて前記第１の人へ送信する手段と、を含む装置。
【請求項８９】
第２の人からの入力に応答して、第１の人およびその関係づけられたプロフィールを同定するための知覚的アプローチの工程を実施する手段と、
少なくとも、前記第１の人のプロフィールを前記第２の人によって指定された基準と比較するか、または、前記第２の人のプロフィールを前記第１の人によって指定された基準と比較する手段と、を含む装置。
【請求項９０】
第１の人の物理的近傍にいる第２の人の外見上の識別特徴を示し、かつ、前記第２の人に関係づけられた通信アドレスを決定する結果をもたらす、前記第１の人からの入力を受信する手段と、
前記第１の人に宛てた通信であって、前記第１の人が前記第２の人の外見上の識別特徴を示す前に前記第２の人が開始した通信を、初めて前記第１の人に提示する手段と、を含む装置。
【請求項９１】
第２の人からの入力に応答して、第１の人およびその関係づけられたプロフィールを同定するための知覚的アプローチの工程を実施する手段と、
少なくとも前記第１の人のプロフィールを前記第２の人によって指定された基準と比較するか、または前記第２の人のプロフィールを前記第１の人によって指定された基準と比較する手段と、を含むコンピューターシステム。
【請求項９２】
第１の人の外見上の識別特徴に基づいて前記第１の人の通信アドレスを決定するための、第２の人によって開始される知覚的アプローチの工程を実施する手段と、
前記知覚的アプローチの工程が実施される前に送信され、かつ、前記知覚的アプローチの工程が実施される前には前記第２の人が見ることが出来ないようになっている、前記通信アドレスからの通信を、前記第２の人が見ることが出来るようにするための慎重なメッセージのやり取りの工程を実施する手段と、を含むコンピューターシステム。
【請求項９３】
ユーザーの近くにいる人々の声のサンプルの複数の代表を前記ユーザーに提示すること、
前記いくつかの声のサンプルのうちの１つを選択する、前記ユーザーからの入力を受信すること、および
前記選択された声のサンプルに関係づけられたアドレスまたは装置識別情報を決定すること、を含む方法。
【請求項９４】
ユーザーの近くにいる複数の人の位置データを受信すること、
目標とする人に向けられている、前記ユーザーに関係づけられた通信装置の位置と向いている方向を決定すること、および
前記目標とする人に関係づけられた通信アドレスまたは装置識別情報を決定すること、を含む方法。
【請求項９５】
ユーザーの近くにいる複数の人を表わす画像を捕捉すること、
前記ユーザーの近くにいる複数の人の位置データを受信すること、
前記捕捉された画像の中で前記複数の人の代表のうちの１つを選択する、前記ユーザーからの入力を受信すること、および
前記代表のうちの前記選択された１つに関係づけられたアドレスまたは装置識別情報を決定すること、を含む方法。
【請求項９６】
第２の人からの入力に応答して、第１の人の通信アドレスを同定するための知覚的アプローチの工程を実施すること、および
前記知覚的アプローチが前記第１の人の通信アドレスを同定するためになされたことを示す知らせであって、前記第１の人が前記第２の人を同定する手段を提供することのない知らせを、前記通信アドレスを通じて前記第１の人に送信すること、を含む方法。
【請求項９７】
第２の人からの入力に応答して、第１の人の通信アドレスを同定するための知覚的アプローチの工程を実施すること、および
少なくとも前記第１の人のプロフィールが前記第２の人によって指定された基準を満たすか、または前記第２の人のプロフィールが前記第１の人によって指定された基準を満たす場合にのみ前記第１の人が見ることが出来るメッセージを、前記通信アドレスを通じて前記第１の人へ送信すること、を含む方法。
【手続補正２】
【補正対象書類名】明細書
【補正対象項目名】００７９
【補正方法】変更
【補正の内容】
【００７９】
【表３】
2007525910.tif 000039
【手続補正３】
【補正対象書類名】明細書
【補正対象項目名】００８１
【補正方法】変更
【補正の内容】
【００８１】
【表４】
2007525910.tif 000040
【手続補正４】
【補正対象書類名】明細書
【補正対象項目名】００９４
【補正方法】変更
【補正の内容】
【００９４】
具体例
本発明は、主には互いに物理的に近くに居る人々の間での電子的な交信を確立し容易にする方法である。それは、専用の装置または、他の、例えばＰＤＡ（personal digital assistant）または携帯電話のような、拡張機能を有する携帯装置のような小型の可搬装置の形態で、部分的に具体化される。装置は、一枚ごとの静止画像と動画像を記録できるデジタルカメラ、文字入力の手段と音声記録手段、装置に直接情報を入力する代替としてコンピュータから情報（文字、音、画像、または動画）を伝達する能力、文字や画像を表示したり音や動画を再生する能力、プログラム可能なマイクロプロセッサ、メモリー記憶装置およびその呼び出し機能―全て今日の携帯電話やＰＤＡには一般的に用意されている仕様である―を含むことが出来る。さらに、装置は追加のハードウェアの機能を持つことが出来る。
【手続補正５】
【補正対象書類名】明細書
【補正対象項目名】００９６
【補正方法】変更
【補正の内容】
【００９６】
潜在的に相性の良い人々というものは、人がその人達を知っているかどうかという区分に従って、２つのカテゴリーに分類される。第１のカテゴリーは、人がその人達と会ったこともなく、見たこともなく、まして聞いたこともないために、知らない全ての人々である。このグループは、オンラインデートサービス、新聞、個人広告、および縁結びの人によってアプローチが行われ、個々人に、相性が良いかもしれない特定の他の人が知らされる。この同様の人達に供するより新しい開発技術は、Ｊａｐａｎｅｓｅ  Ｌｏｖｅｇｅｔｙ  や、Ｓｐｏｔｍｅ装置のような携帯装置であって、それがなければ知らないままになってしまう潜在的に相性の良い人達を、ユーザーの直接の環境内でユーザーに知らせる。更に最近、携帯電話会社ＡＴ＆Ｔワイヤレス社は、オンラインデートサービス、Ｍａｔｃｈ．ｃｏｍに連携させて携帯電話ユーザーに、ユーザー同士が同じ近隣に居る場合に稼動するプロフィールマッチングサービスを提案している。これら全てのサービスは、ユーザーにさもなければ知ることがない、潜在的な相性の良い人を知らせてくれる。
【国際調査報告】
2007525910.tif 000041
2007525910.tif 000042